(57)【要約】  本出願は、無線通信技術分野に関し、特にランダムアクセスための方法および装置に関する。本発明は、このようにして、端末のランダムアクセスに使用されるリソースと、ＳＳ Ｂｌｏｃｋおよび/またはＲＭＳＩを送信するためのダウンリンクチャネルによって占有されるリソースが競合する従来の技術問題を解決する。本出願の実施形態では、端末は、端末のために基地局によって構成されたＰＲＡＣＨ時間領域リソースを決定するステップと、少なくとも１つのスロットにＳＳ Ｂｌｏｃｋおよび/またはＲＭＳＩを送信するために使用される第１のタイプのＯＦＤＭシンボルが含まれると判断した場合、端末は、少なくとも１つのスロット内の第１のタイプのＯＦＤＭシンボルと異なるＯＦＤＭシンボルにおいてランダムアクセスを実行する。本出願の実施形態によれば、端末がスロット内の第１のタイプのＯＦＤＭシンボルと異なるＯＦＤＭシンボルにおいてランダムアクセスを実行することにより、端末のランダムアクセスに使用されるリソースと、ＳＳ Ｂｌｏｃｋおよび/またはＲＭＳＩを送信するためのダウンリンクチャネルによって占有されるリソースと間の競合を回避し、およびシステム性能をさらに向上する。
2021503849.tif 000002
【特許請求の範囲】
【請求項１】
端末は、前記端末のための基地局によって構成された物理ランダムアクセスチャネル（ＰＲＡＣＨ）時間領域リソースを決定するステップと、
前記少なくとも１つのスロットに、同期信号ブロックＳＳ Ｂｌｏｃｋおよび/または残りの最小システム情報ＲＭＳＩの送信に使用される第１のタイプの直交周波数分割多重ＯＦＤＭシンボルが含まれることを決定するとき、前記端末は、前記少なくとも１つのスロット内の前記第１のタイプのＯＦＤＭシンボルと異なるＯＦＤＭシンボルを通じてランダムアクセスを実行するステップとを備え、
前記ＰＲＡＣＨ時間領域リソースは少なくとも１つのスロットを含むことを特徴とするランダムアクセスための方法。
【請求項２】
前記端末は、以下の方式のいずれか１つに従ってランダムアクセスを実行する：
方式１、前記端末は、第１のタイプのＯＦＤＭシンボルを含まないスロットでランダムアクセスを実行し、
方式２、前記端末は、第１のタイプのＯＦＤＭシンボルを含むスロット内の前記第１のタイプのＯＦＤＭシンボルを除く連続ＯＦＤＭシンボルにおいてランダムアクセスを実行することを特徴とする請求項１に記載のランダムアクセスための方法。
【請求項３】
前記端末は、以下の方式に従ってランダムアクセス方法を決定する：
前記端末は、所定のルールに従ってランダムアクセス方式を決定し、または、
前記端末は、基地局によって前記ＲＭＳＩを通じて送信された指示シグナリングを受信し、前記指示シグナリングに従って、ランダムアクセス方式を決定することを特徴とする請求項２に記載のランダムアクセスための方法。
【請求項４】
前記端末が、第１のタイプのＯＦＤＭシンボルを含むスロット内の前記第１のタイプのＯＦＤＭシンボルを除く連続ＯＦＤＭシンボルにおいてランダムアクセスを実行する前に、
前記端末は、前記第１のタイプのＯＦＤＭシンボルを含むスロット内の前記第１のタイプのＯＦＤＭシンボルを除く、アップリンク送信のための残りの連続ＯＦＤＭシンボルの数がランダムアクセス実際に使用されるＯＦＤＭシンボルの数より少なくないことを決定することを特徴とする請求項２に記載のランダムアクセスための方法。
【請求項５】
前記端末は、以下の方式でアップリンク送信のための残りの連続ＯＦＤＭシンボルの数を決定する：
前記端末は、前記基地局によって構成されたＰＲＡＣＨのサブキャリア間隔（ＳＣＳ）と前記ＳＳ ＢｌｏｃｋのＳＣＳとの比（Ｒａｔｉｏ）を決定し、
前記端末は、前記第１のタイプのＯＦＤＭシンボルを含むスロット内の残りの連続ＯＦＤＭシンボルの数と前記比（Ｒａｔｉｏ）との積を、前記アップリンク送信のための残りの連続ＯＦＤＭシンボルの数として決定することを特徴とする請求項４に記載のランダムアクセスための方法。
【請求項６】
前記端末が、第１のタイプのＯＦＤＭシンボルを含むスロット内の前記第１のタイプのＯＦＤＭシンボルを除く連続ＯＦＤＭシンボルにおいてランダムアクセスを実行することは、
前記端末が、前記第１のタイプのＯＦＤＭシンボルを含むスロットから前記第１のタイプのＯＦＤＭシンボルの間の少なくとも１つのアイドルＯＦＤＭシンボルを選択し、または、前記第１のタイプのＯＦＤＭシンボルを含むスロットのテールから少なくとも１つのアイドルＯＦＤＭシンボルを選択することと、
前記端末が、選択されたＯＦＤＭシンボルにおいてランダムアクセスを実行することとを含むことを特徴とする請求項２から請求項５のいずれか一項に記載のランダムアクセスための方法。
【請求項７】
基地局は、端末のために物理ランダムアクセスチャネル（ＰＲＡＣＨ）時間領域リソースを構成するステップと、
前記少なくとも１つのスロットに、同期信号ブロックＳＳ Ｂｌｏｃｋおよび/または残りの最小システム情報ＲＭＳＩの送信に使用される第１のタイプの直交周波数分割多重ＯＦＤＭシンボルが含まれることを決定するとき、前記基地局は、前記少なくとも１つのスロットにおいて、前記第１のタイプのＯＦＤＭシンボルと異なるＯＦＤＭシンボル上でＰＲＡＣＨを受信および検出するステップとを備え、
前記ＰＲＡＣＨ時間領域リソースは少なくとも１つのスロットを含むことを特徴とするランダムアクセスための方法。
【請求項８】
前記基地局は、以下の方式のいずれか１つに従ってＰＲＡＣＨを受信および検出する：
方式１：前記基地局は、第１のタイプのＯＦＤＭシンボルを含まないスロットにおいて、ＰＲＡＣＨを受信および検出し、
方式２：前記基地局は、第１のタイプのＯＦＤＭシンボルを含むスロット内の前記第１のタイプのＯＦＤＭシンボルを除く連続ＯＦＤＭシンボルにおいて、ＰＲＡＣＨを受信および検出することを特徴とする請求項７に記載のランダムアクセスための方法。
【請求項９】
前記基地局が、第１のタイプのＯＦＤＭシンボルを含むスロット内の前記第１のタイプのＯＦＤＭシンボルを除くＯＦＤＭシンボルにおいて、ＰＲＡＣＨを受信および検出する前に、
前記基地局は、前記第１のタイプのＯＦＤＭシンボルを含むスロット内の前記第１のタイプのＯＦＤＭシンボルを除く、アップリンク送信のための残りの連続ＯＦＤＭシンボルの数がランダムアクセス実際に使用されるＯＦＤＭシンボルの数より少なくないことを決定することを特徴とする請求項８に記載のランダムアクセスための方法。
【請求項１０】
前記基地局は、下記の方式に従って、アップリンク送信のための残りの連続ＯＦＤＭシンボルの数を決定する：
前記基地局は、前記端末のために構成されたＰＲＡＣＨのサブキャリア間隔（ＳＣＳ）と前記ＳＳ ＢｌｏｃｋのＳＣＳとの比（Ｒａｔｉｏ）を決定し、
前記基地局は、前記第１のタイプのＯＦＤＭシンボルを含むスロット内の残りの連続ＯＦＤＭシンボルの数と前記比（Ｒａｔｉｏ）との積を、前記アップリンク送信のための残りの連続ＯＦＤＭシンボルの数として決定することを特徴とする請求項９に記載のランダムアクセスための方法。
【請求項１１】
前記基地局が、第１のタイプのＯＦＤＭシンボルを含むスロット内の前記第１のタイプのＯＦＤＭシンボルを除くＯＦＤＭシンボルにおいて、ＰＲＡＣＨを受信および検出することは、
前記基地局は、前記第１のタイプのＯＦＤＭシンボルを含むスロットから前記第１のタイプのＯＦＤＭシンボルの間の少なくとも１つのアイドルＯＦＤＭシンボルを選択し、または、前記第１のタイプのＯＦＤＭシンボルを含むスロットのテールから少なくとも１つのアイドルＯＦＤＭシンボルを選択することと、
前記基地局は、選択されたＯＦＤＭシンボルにおいてＰＲＡＣＨを受信および検出することとを含むことを特徴とする請求項８から請求項１０のいずれか一項に記載のランダムアクセスための方法。
【請求項１２】
プロセッサ、メモリおよび送受信機を備え、
前記プロセッサは、メモリ内のプログラムを読み取り、以下を実行するように構成される：
端末のための基地局によって構成された物理ランダムアクセスチャネル（ＰＲＡＣＨ）時間領域リソースを決定し、前記ＰＲＡＣＨ時間領域リソースは少なくとも１つのスロットを含み、前記少なくとも１つのスロットに、同期信号ブロックＳＳ Ｂｌｏｃｋおよび/または残りの最小システム情報ＲＭＳＩの送信に使用される第１のタイプの直交周波数分割多重ＯＦＤＭシンボルが含まれることを決定するとき、前記少なくとも１つのスロット内の前記第１のタイプのＯＦＤＭシンボルと異なるＯＦＤＭシンボルにおいてランダムアクセスを実行することを特徴とする端末。
【請求項１３】
前記プロセッサは、
以下の方式のいずれか１つに従ってランダムアクセスを実行する：
方式１：第１のタイプのＯＦＤＭシンボルを含まないスロットにおいてランダムアクセスを実行し、
方式２：第１のタイプのＯＦＤＭシンボルを含むスロット内の前記第１のタイプのＯＦＤＭシンボルを除く連続ＯＦＤＭシンボルにおいてランダムアクセスを実行することを特徴とする請求項１２に記載の端末。
【請求項１４】
前記プロセッサは、
下記の方式に従って、ランダムアクセス方式を決定する：
所定のルールに従って、ランダムアクセス方式を決定し、または、
基地局によって前記ＲＭＳＩを通じて送信された指示シグナリングを受信し、前記指示シグナリングに従って、ランダムアクセス方式を決定することを特徴とする請求項１３に記載の端末。
【請求項１５】
前記プロセッサは、
第１のタイプのＯＦＤＭシンボルを含むスロット内の前記第１のタイプのＯＦＤＭシンボルを除く連続ＯＦＤＭシンボルにおいてランダムアクセスを実行する前に、前記第１のタイプのＯＦＤＭシンボルを含むスロット内の前記第１のタイプのＯＦＤＭシンボルを除く、アップリンク送信のための残りの連続ＯＦＤＭシンボルの数がランダムアクセス実際に使用されるＯＦＤＭシンボルの数より少なくないことを決定することを特徴とする請求項１３に記載の端末。
【請求項１６】
前記プロセッサは、
下記の方式に従って、アップリンク送信のための残りの連続ＯＦＤＭシンボルの数を決定する：
前記基地局によって構成されたＰＲＡＣＨのサブキャリア間隔（ＳＣＳ）と前記ＳＳ ＢｌｏｃｋのＳＣＳとの比（Ｒａｔｉｏ）を決定し、前記第１のタイプのＯＦＤＭシンボルを含むスロット内の残りの連続ＯＦＤＭシンボルの数と前記比（Ｒａｔｉｏ）との積を、前記アップリンク送信のための残りの連続ＯＦＤＭシンボルの数として決定することを特徴とする請求項１５に記載の端末。
【請求項１７】
前記プロセッサは、
前記第１のタイプのＯＦＤＭシンボルを含むスロットから前記第１のタイプのＯＦＤＭシンボルの間の少なくとも１つのアイドルＯＦＤＭシンボルを選択し、または、前記第１のタイプのＯＦＤＭシンボルを含むスロットのテールから少なくとも１つのアイドルＯＦＤＭシンボルを選択し、選択されたＯＦＤＭシンボルにおいてランダムアクセスを実行することを特徴とする請求項１５に記載の端末。
【請求項１８】
プロセッサ、メモリおよび送受信機を備え、
前記プロセッサは、メモリ内のプログラムを読み取り、以下を実行するように構成される：
端末のために物理ランダムアクセスチャネル（ＰＲＡＣＨ）時間領域リソースを構成し、前記ＰＲＡＣＨ時間領域リソースは少なくとも１つのスロットを含み、前記少なくとも１つのスロットに、同期信号ブロックＳＳ Ｂｌｏｃｋおよび/または残りの最小システム情報ＲＭＳＩの送信に使用される第１のタイプの直交周波数分割多重ＯＦＤＭシンボルが含まれることを決定するとき、前記少なくとも１つのスロットにおいて、前記第１のタイプのＯＦＤＭシンボルと異なるＯＦＤＭシンボル上でＰＲＡＣＨを受信および検出することを特徴とする基地局。
【請求項１９】
前記プロセッサは、
以下の方式のいずれか１つに従ってＰＲＡＣＨを受信および検出する：
方式１：第１のタイプのＯＦＤＭシンボルを含まないスロットにおいて、ＰＲＡＣＨを受信および検出し、
方式２：第１のタイプのＯＦＤＭシンボルを含むスロット内の前記第１のタイプのＯＦＤＭシンボルを除く連続ＯＦＤＭシンボルにおいて、ＰＲＡＣＨを受信および検出することを特徴とする請求項１８に記載の基地局。
【請求項２０】
前記プロセッサは、
第１のタイプのＯＦＤＭシンボルを含むスロット内の前記第１のタイプのＯＦＤＭシンボルを除くＯＦＤＭシンボルにおいて、ＰＲＡＣＨを受信および検出する前に、前記第１のタイプのＯＦＤＭシンボルを含むスロット内の前記第１のタイプのＯＦＤＭシンボルを除く、アップリンク送信のための残りの連続ＯＦＤＭシンボルの数がランダムアクセス実際に使用されるＯＦＤＭシンボルの数より少なくないことを決定することを特徴とする請求項１９に記載の基地局。
【請求項２１】
前記プロセッサは、
下記の方式に従って、アップリンク送信のための残りの連続ＯＦＤＭシンボルの数を決定する：
前記端末のために構成されたＰＲＡＣＨのサブキャリア間隔（ＳＣＳ）と前記ＳＳ ＢｌｏｃｋのＳＣＳとの比（Ｒａｔｉｏ）を決定し、前記第１のタイプのＯＦＤＭシンボルを含むスロット内の残りの連続ＯＦＤＭシンボルの数と前記比（Ｒａｔｉｏ）との積を、前記アップリンク送信のための残りの連続ＯＦＤＭシンボルの数として決定することを特徴とする請求項２０に記載の基地局。
【請求項２２】
前記プロセッサは、
前記第１のタイプのＯＦＤＭシンボルを含むスロットから前記第１のタイプのＯＦＤＭシンボルの間の少なくとも１つのアイドルＯＦＤＭシンボルを選択し、または、前記第１のタイプのＯＦＤＭシンボルを含むスロットのテールから少なくとも１つのアイドルＯＦＤＭシンボルを選択し、選択されたＯＦＤＭシンボルにおいてＰＲＡＣＨを受信および検出する。ことを特徴とする請求項１９から請求項２１のいずれか一項に記載の基地局。
【請求項２３】
端末のための基地局によって構成された物理ランダムアクセスチャネル（ＰＲＡＣＨ）時間領域リソースを決定するように構成された決定モジュールと、
前記少なくとも１つのスロットに同期信号ブロックＳＳ Ｂｌｏｃｋおよび/または残りの最小システム情報ＲＭＳＩの送信に使用される第１のタイプの直交周波数分割多重ＯＦＤＭシンボルが含まれることを決定するとき、前記少なくとも１つのスロット内の前記第１のタイプのＯＦＤＭシンボルと異なるＯＦＤＭシンボルにおいてランダムアクセスを実行するように構成された送信モジュールとを備え、
前記ＰＲＡＣＨ時間領域リソースは少なくとも１つのスロットを含むことを特徴とするランダムアクセスのための装置。
【請求項２４】
構成モジュール，端末のための物理ランダムアクセスチャネル（ＰＲＡＣＨ）時間領域リソースを構成するように構成された構成モジュールと、
前記少なくとも１つのスロットに、同期信号ブロックＳＳ Ｂｌｏｃｋおよび/または残りの最小システム情報ＲＭＳＩの送信に使用される第１のタイプの直交周波数分割多重ＯＦＤＭシンボルが含まれることを決定するとき、前記少なくとも１つのスロットにおいて、前記第１のタイプのＯＦＤＭシンボルと異なるＯＦＤＭシンボル上でＰＲＡＣＨを受信および検出するように構成された受信モジュールとを備え、
前記ＰＲＡＣＨ時間領域リソースは少なくとも１つのスロットを含むことを特徴とするランダムアクセスのための装置。
【請求項２５】
コンピュータプログラムを格納するコンピュータ記憶媒体であって、前記プログラムは、プロセッサによって実行されると、請求項１から請求項６のいずれか一項に記載の方法のステップ、または請求項７から請求項１１のいずれか一項に記載の方法のステップを実施することを特徴とするコンピュータプログラムを格納するコンピュータ記憶媒体。
【発明の詳細な説明】
【技術分野】
【０００１】
本出願は、２０１７年１１月１６日に中国特許局に提出し、出願番号が２０１７１１１４０７１５．７であり、発明名称が「ランダムアクセスための方法および装置」との中国特許出願を基礎とする優先権を主張し、その開示の総てをここに取り込む。
【０００２】
本発明は、通信技術分野に関し、特にランダムアクセスための方法および装置に関する。
【背景技術】
【０００３】
新しい無線（Ｎｅｗ Ｒａｄｉｏ，ＮＲ）Ｒｅｌ−１５は、プライマリ同期信号（Ｐｒｉｍａｒｙ Ｓｙｎｃｈｒｏｎｉｚｅｄ Ｓｉｇｎａｌ，ＰＳＳ）、物理ブロードキャストチャネル（Ｐｈｙｓｉｃａｌ Ｂｒｏａｄｃａｓｔ Ｃｈａｎｎｅｌ，ＰＢＣＨ）、セカンダリ同期信号（Ｓｅｃｏｎｄａｒｙ Ｓｙｎｃｈｒｏｎｉｚａｔｉｏｎ Ｓｉｇｎａｌ，ＳＳＳ）およびＰＢＣＨの順序で、４つの直交周波数分割多重（Ｏｒｔｈｏｇｏｎａｌ Ｆｒｅｑｕｅｎｃｙ Ｄｉｖｉｓｉｏｎ Ｍｕｌｔｉｐｌｅｘｉｎｇ，ＯＦＤＭ）シンボルを占める同期信号ブロック（Ｓｙｎｃｈｒｏｎｉｚａｔｉｏｎ Ｓｉｇｎａｌ Ｂｌｏｃｋ，ＳＳ Ｂｌｏｃｋ）を定義し、１５/３０/１２０/２４０ＫＨｚのサブキャリア間隔（Ｓｕｂｃａｒｒｉｅｒ Ｓｐａｃｉｎｇ，ＳＣＳ）をサポートする。デフォルトの周期と構成周期がサポートされている。デフォルトの周期は２０ミリ秒で、初期セル検索に使用される。５ミリ秒から１６０ミリ秒の構成周期は、接続状態（ＣＯＮＮＥＣＴＥＤ）/アイドル状態（ＩＤＬＥ）および非スタンドアロンネットワーキングシーン（ｎｏｎ−ｓｔａｎｄ ａｌｏｎｅ）で使用できる。デフォルト周期と構成周期では、ＳＳ Ｂｌｏｃｋバースト集合（ＳＳ Ｂｌｏｃｋ ｂｕｒｓｔ ｓｅｔ）のすべてのＳＳ Ｂｌｏｃｋが５ミリ秒以内に送信される。ＳＳ Ｂｌｏｃｋには、候補ＳＳ Ｂｌｏｃｋと実際のＳＳ Ｂｌｏｃｋが含まれる。異なる周波数帯域に応じて、１つのＳＳ Ｂｌｏｃｋバースト集合の候補ＳＳ Ｂｌｏｃｋの最大数Ｌは異なり、基地局は実際の状況に従って、候補ＳＳ Ｂｌｏｃｋ集合から実際に送信されたＳＳ Ｂｌｏｃｋを選択する。実際のＳＳ Ｂｌｏｃｋの数はＬ以下にすることができる。
【０００４】
端末保持、ランダムアクセスおよび他のプロセスに必要な最小システム情報の最初の部分はＰＢＣＨによって送信され、残りの部分は残りの最小システム情報（Ｒｅｍａｉｎｉｎｇ ｍｉｎｉｍｕｍ ｓｙｓｔｅｍ ｉｎｆｏｒｍａｔｉｏｎ，ＲＭＳＩ）を使用することによって送信される。ＲＭＳＩは、物理ダウンリンク制御チャネル（Ｐｈｙｓｉｃａｌ Ｄｏｗｎｌｉｎｋ Ｃｏｎｔｒｏｌ Ｃｈａｎｎｅｌ，ＰＤＣＣＨ）によってスケジュールされた物理ダウンリンク共有チャネル（Ｐｈｙｓｉｃａｌ Ｄｏｗｎｌｉｎｋ Ｓｈａｒｅｄ Ｃｈａｎｎｅｌ，ＰＤＳＣＨ）を使用して送信する。カバレッジを拡大するために、ビームスキャニング法も使用される。ＲＭＳＩ ＰＤＣＣＨが配置されている時間および周波数リソースに対応する制御リソース集合（ＣＯＲＥＳＥＴ，ｃｏｎｔｒｏｌ ｒｅｓｏｕｒｃｅ ｓｅｔ）は、ＰＢＣＨによって構成される。ＲＭＳＩおよびＳＳ Ｂｌｏｃｋは、周波数領域多重化（Ｆｒｅｑｕｅｎｃｙ Ｄｏｍａｉｎ Ｍｕｌｔｉｐｌｅｘｉｎｇ，ＦＤＭ）および時間領域多重化（Ｔｉｍｅ Ｄｏｍａｉｎ Ｍｕｌｔｉｐｌｅｘｉｎｇ，ＴＤＭ）方式を採用できる。
【発明の概要】
【発明が解決しようとする課題】
【０００５】
現在、時分割複信（Ｔｉｍｅ ｄｉｖｉｓｉｏｎ ｄｕｐｌｅｘ，ＴＤＤ）モードでは、ランダムアクセスプロセスにおいて、端末は、基地局によって構成された物理ランダムアクセスチャネル（Ｐｈｙｓｉｃａｌ Ｒａｎｄｏｍ Ａｃｃｅｓｓ Ｃｈａｎｎｅｌ，ＰＲＡＣＨ）時間領域リソースに従って、ＰＲＡＣＨ時間領域リソースが配置されているスロットを介したランダムアクセスを実行する。しかしながら、ランダムアクセスのために端末によって使用されるタイプスロットは、ＳＳ Ｂｌｏｃｋおよび/またはＲＭＳＩを送信するためのダウンリンクチャネルによって占有される時間領域リソースを含み得るので、ランダムアクセスのために端末によって使用される時間領域リソース、およびＳＳ Ｂｌｏｃｋおよび/またはＲＭＳＩを送信するためにダウンリンクチャネルによって占有される時間領域リソースと競合している可能性があり得る。
【０００６】
本出願の実施形態は、ランダムアクセスための方法および装置を提供して、ランダムアクセスのために端末によって使用される時間領域リソース、およびＳＳ Ｂｌｏｃｋおよび/またはＲＭＳＩを送信するためにダウンリンクチャネルによって占有される時間領域リソースと競合する先行技術における問題を解決する。
【課題を解決するための手段】
【０００７】
上記の問題に基づいて、第１の第１の態様では、本出願の実施形態によって提供されるランダムアクセスための方法は、
端末は、端末のための基地局によって構成されたＰＲＡＣＨ時間領域リソースを決定し、前記ＰＲＡＣＨ時間領域リソースは少なくとも１つのスロットを含み、
前記少なくとも１つのスロットにＳＳ Ｂｌｏｃｋおよび/またはＲＭＳＩを送信するために使用される第１のタイプのＯＦＤＭシンボルが含まれると決定されると、前記端末は、前記少なくとも１つのスロット内の前記第１のタイプのＯＦＤＭシンボルと異なるＯＦＤＭシンボルを通じてランダムアクセスを実行する。
【０００８】
任意選択で、前記端末は、以下の方式のいずれか１つに従ってランダムアクセスを実行する：
方式１：前記端末は、第１のタイプのＯＦＤＭシンボルを含まないスロットでランダムアクセスを実行し、
方式２：前記端末は、第１のタイプのＯＦＤＭシンボルを含むスロット内の前記第１のタイプのＯＦＤＭシンボルを除く連続ＯＦＤＭシンボルにおいてランダムアクセスを実行する。
【０００９】
任意選択で、前記端末は、以下の方式に従ってランダムアクセス方法を決定する：
前記端末は、所定のルールに従ってランダムアクセス方式を決定し、または、
前記端末は、基地局によって前記ＲＭＳＩを通じて送信された指示シグナリングを受信し、前記指示シグナリングに従って、ランダムアクセス方式を決定する。
【００１０】
任意選択で、前記端末が、第１のタイプのＯＦＤＭシンボルを含むスロット内の前記第１のタイプのＯＦＤＭシンボルを除く連続ＯＦＤＭシンボルにおいてランダムアクセスを実行する前に、
前記端末は、前記第１のタイプのＯＦＤＭシンボルを含むスロット内の前記第１のタイプのＯＦＤＭシンボルを除く、アップリンク送信のための残りの連続ＯＦＤＭシンボルの数がランダムアクセス実際に使用されるＯＦＤＭシンボルの数より少なくないことを決定する。
【００１１】
任意選択で、前記端末は、以下の方式でアップリンク送信のための残りの連続ＯＦＤＭシンボルの数を決定する：
前記端末は、前記基地局によって構成されたＰＲＡＣＨのサブキャリア間隔（ＳＣＳ）と前記ＳＳ ＢｌｏｃｋのＳＣＳとの比（Ｒａｔｉｏ）を決定し、
前記端末は、前記第１のタイプのＯＦＤＭシンボルを含むスロット内の残りの連続ＯＦＤＭシンボルの数と前記比（Ｒａｔｉｏ）との積を、前記アップリンク送信のための残りの連続ＯＦＤＭシンボルの数として決定する。
【００１２】
任意選択で、前記端末が、第１のタイプのＯＦＤＭシンボルを含むスロット内の前記第１のタイプのＯＦＤＭシンボルを除く連続ＯＦＤＭシンボルにおいてランダムアクセスを実行することは、
前記端末が、前記第１のタイプのＯＦＤＭシンボルを含むスロットから前記第１のタイプのＯＦＤＭシンボルの間の少なくとも１つのアイドルＯＦＤＭシンボルを選択し、または、前記第１のタイプのＯＦＤＭシンボルを含むスロットのテールから少なくとも１つのアイドルＯＦＤＭシンボルを選択し、
前記端末が、選択されたＯＦＤＭシンボルにおいてランダムアクセスを実行する。
【００１３】
第２の態様では、本出願の実施形態によって提供されるランダムアクセスための方法は、
前記少なくとも１つのスロットにＳＳ Ｂｌｏｃｋおよび/またはＲＭＳＩを送信するために使用される第１のタイプのＯＦＤＭシンボルが含まれると決定されると、前記基地局は、前記少なくとも１つのスロットにおいて、前記第１のタイプのＯＦＤＭシンボルと異なるＯＦＤＭシンボル上でＰＲＡＣＨを受信および検出するステップとを備え、
基地局は、端末のためにＰＲＡＣＨ時間領域リソースを提供するステップと、前記ＰＲＡＣＨ時間領域リソースは少なくとも１つのスロットを含む。
【００１４】
任意選択で、前記基地局は、以下の方式のいずれか１つに従ってＰＲＡＣＨを受信および検出する：
方式１、前記基地局は、第１のタイプのＯＦＤＭシンボルを含まないスロットにおいて、ＰＲＡＣＨを受信および検出し、
方式２、前記基地局は、第１のタイプのＯＦＤＭシンボルを含むスロット内の前記第１のタイプのＯＦＤＭシンボルを除く連続ＯＦＤＭシンボルにおいて、ＰＲＡＣＨを受信および検出する。
【００１５】
任意選択で、前記基地局が、第１のタイプのＯＦＤＭシンボルを含むスロット内の前記第１のタイプのＯＦＤＭシンボルを除くＯＦＤＭシンボルにおいて、ＰＲＡＣＨを受信および検出する前に、
前記基地局は、前記第１のタイプのＯＦＤＭシンボルを含むスロット内の前記第１のタイプのＯＦＤＭシンボルを除く、アップリンク送信のための残りの連続ＯＦＤＭシンボルの数がランダムアクセス実際に使用されるＯＦＤＭシンボルの数より少なくないことを決定する。
【００１６】
任意選択で、前記基地局は、下記の方式に従って、アップリンク送信のための残りの連続ＯＦＤＭシンボルの数を決定する：
前記基地局は、前記端末のために構成されたＰＲＡＣＨのサブキャリア間隔（ＳＣＳ）と前記ＳＳ ＢｌｏｃｋのＳＣＳとの比（Ｒａｔｉｏ）を決定し、
前記基地局は、前記第１のタイプのＯＦＤＭシンボルを含むスロット内の残りの連続ＯＦＤＭシンボルの数と前記比（Ｒａｔｉｏ）との積を、前記アップリンク送信のための残りの連続ＯＦＤＭシンボルの数として決定する。
【００１７】
任意選択で、前記基地局が、第１のタイプのＯＦＤＭシンボルを含むスロット内の前記第１のタイプのＯＦＤＭシンボルを除くＯＦＤＭシンボルにおいて、ＰＲＡＣＨを受信および検出することは、
前記基地局は、前記第１のタイプのＯＦＤＭシンボルを含むスロットから前記第１のタイプのＯＦＤＭシンボルの間の少なくとも１つのアイドルＯＦＤＭシンボルを選択し、または、前記第１のタイプのＯＦＤＭシンボルを含むスロットのテールから少なくとも１つのアイドルＯＦＤＭシンボルを選択することと、
前記基地局は、選択されたＯＦＤＭシンボルにおいてＰＲＡＣＨを受信および検出することとを備える。
【００１８】
第３の態様では、本出願の実施形態によって提供される端末，プロセッサ、メモリおよび送受信機を備え、
前記プロセッサは、メモリ内のプログラムを読み取り、以下を実行するように構成される：
端末のための基地局によって構成されたＰＲＡＣＨ時間領域リソースを決定し、前記ＰＲＡＣＨ時間領域リソースは少なくとも１つのスロットを含み、前記少なくとも１つのスロットにＳＳ Ｂｌｏｃｋおよび/またはＲＭＳＩを送信するために使用される第１のタイプのＯＦＤＭシンボルが含まれると決定されると、前記少なくとも１つのスロット内の前記第１のタイプのＯＦＤＭシンボルと異なるＯＦＤＭシンボルにおいてランダムアクセスを実行する。
【００１９】
任意選択で、前記プロセッサは具体的に、
以下の方式のいずれか１つに従ってランダムアクセスを実行する：
方式１：第１のタイプのＯＦＤＭシンボルを含まないスロットにおいてランダムアクセスを実行し、
方式２：第１のタイプのＯＦＤＭシンボルを含むスロット内の前記第１のタイプのＯＦＤＭシンボルを除く連続ＯＦＤＭシンボルにおいてランダムアクセスを実行する。
【００２０】
任意選択で、前記プロセッサは具体的に、
下記の方式に従って、ランダムアクセス方式を決定する：
所定のルールに従って、ランダムアクセス方式を決定し、または、
基地局によって前記ＲＭＳＩを通じて送信された指示シグナリングを受信し、前記指示シグナリングに従って、ランダムアクセス方式を決定する。
【００２１】
任意選択で、前記プロセッサはさらに、
第１のタイプのＯＦＤＭシンボルを含むスロット内の前記第１のタイプのＯＦＤＭシンボルを除く連続ＯＦＤＭシンボルにおいてランダムアクセスを実行する前に、前記第１のタイプのＯＦＤＭシンボルを含むスロット内の前記第１のタイプのＯＦＤＭシンボルを除く、アップリンク送信のための残りの連続ＯＦＤＭシンボルの数がランダムアクセス実際に使用されるＯＦＤＭシンボルの数より少なくないことを決定する。
【００２２】
任意選択で、前記プロセッサは具体的に、
下記の方式に従って、アップリンク送信のための残りの連続ＯＦＤＭシンボルの数を決定する：
前記基地局によって構成されたＰＲＡＣＨのサブキャリア間隔（ＳＣＳ）と前記ＳＳ ＢｌｏｃｋのＳＣＳとの比（Ｒａｔｉｏ）を決定し、前記第１のタイプのＯＦＤＭシンボルを含むスロット内の残りの連続ＯＦＤＭシンボルの数と前記比（Ｒａｔｉｏ）との積を、前記アップリンク送信のための残りの連続ＯＦＤＭシンボルの数として決定する。
【００２３】
任意選択で、前記プロセッサは具体的に、
前記第１のタイプのＯＦＤＭシンボルを含むスロットから前記第１のタイプのＯＦＤＭシンボルの間の少なくとも１つのアイドルＯＦＤＭシンボルを選択し、または、前記第１のタイプのＯＦＤＭシンボルを含むスロットのテールから少なくとも１つのアイドルＯＦＤＭシンボルを選択し、選択されたＯＦＤＭシンボルにおいてランダムアクセスを実行する。
【００２４】
第４の態様では、本出願の実施形態によって提供される基地局は、プロセッサ、メモリおよび送受信機を備え、
前記プロセッサは、メモリ内のプログラムを読み取り、以下を実行するように構成される：
端末のためにＰＲＡＣＨ時間領域リソースを構成し、前記ＰＲＡＣＨ時間領域リソースは少なくとも１つのスロットを含み、前記少なくとも１つのスロットにＳＳ Ｂｌｏｃｋおよび/またはＲＭＳＩを送信するために使用される第１のタイプのＯＦＤＭシンボルが含まれると決定されると、前記少なくとも１つのスロットにおいて、前記第１のタイプのＯＦＤＭシンボルと異なるＯＦＤＭシンボル上でＰＲＡＣＨを受信および検出する。
【００２５】
任意選択で、前記プロセッサは具体的に、
以下の方式のいずれか１つに従ってＰＲＡＣＨを受信および検出する：
方式１：第１のタイプのＯＦＤＭシンボルを含まないスロットにおいて、ＰＲＡＣＨを受信および検出し、
方式２：第１のタイプのＯＦＤＭシンボルを含むスロット内の前記第１のタイプのＯＦＤＭシンボルを除く連続ＯＦＤＭシンボルにおいて、ＰＲＡＣＨを受信および検出する。
【００２６】
任意選択で、前記プロセッサはさらに、
第１のタイプのＯＦＤＭシンボルを含むスロット内の前記第１のタイプのＯＦＤＭシンボルを除くＯＦＤＭシンボルにおいて、ＰＲＡＣＨを受信および検出する前に、前記第１のタイプのＯＦＤＭシンボルを含むスロット内の前記第１のタイプのＯＦＤＭシンボルを除く、アップリンク送信のための残りの連続ＯＦＤＭシンボルの数がランダムアクセス実際に使用されるＯＦＤＭシンボルの数より少なくないことを決定する。
【００２７】
任意選択で、前記プロセッサは具体的に、
下記の方式に従って、アップリンク送信のための残りの連続ＯＦＤＭシンボルの数を決定する：
前記端末のために構成されたＰＲＡＣＨのサブキャリア間隔（ＳＣＳ）と前記ＳＳ ＢｌｏｃｋのＳＣＳとの比（Ｒａｔｉｏ）を決定し、前記第１のタイプのＯＦＤＭシンボルを含むスロット内の残りの連続ＯＦＤＭシンボルの数と前記比（Ｒａｔｉｏ）との積を、前記アップリンク送信のための残りの連続ＯＦＤＭシンボルの数として決定する。
【００２８】
任意選択で、前記プロセッサは具体的に、
前記第１のタイプのＯＦＤＭシンボルを含むスロットから前記第１のタイプのＯＦＤＭシンボルの間の少なくとも１つのアイドルＯＦＤＭシンボルを選択し、または、前記第１のタイプのＯＦＤＭシンボルを含むスロットのテールから少なくとも１つのアイドルＯＦＤＭシンボルを選択し、選択されたＯＦＤＭシンボルにおいてＰＲＡＣＨを受信および検出する。
【００２９】
第５の態様では、本出願の実施形態によって提供されるランダムアクセスのための装置は、
端末のための基地局によって構成されたＰＲＡＣＨ時間領域リソースを決定するように構成された決定モジュールと、
前記少なくとも１つのスロットにＳＳ Ｂｌｏｃｋおよび/またはＲＭＳＩを送信するために使用される第１のタイプのＯＦＤＭシンボルが含まれることを決定するとき、前記少なくとも１つのスロット内の前記第１のタイプのＯＦＤＭシンボルと異なるＯＦＤＭシンボルにおいてランダムアクセスを実行するように構成された送信モジュールとを備え、
前記ＰＲＡＣＨ時間領域リソースは少なくとも１つのスロットを含む。
【００３０】
第６の態様では、本出願の実施形態によって提供されるランダムアクセスのための装置は、
端末のためにＰＲＡＣＨ時間領域リソースを構成するように構成された構成モジュールと、
前記少なくとも１つのスロットにＳＳ Ｂｌｏｃｋおよび/またはＲＭＳＩを送信するために使用される第１のタイプのＯＦＤＭシンボルが含まれると決定されると、前記少なくとも１つのスロットにおいて、前記第１のタイプのＯＦＤＭシンボルと異なるＯＦＤＭシンボル上でＰＲＡＣＨを受信および検出するように構成された受信モジュールとを備え、
前記ＰＲＡＣＨ時間領域リソースは少なくとも１つのスロットを含む。
【００３１】
第７の態様では、本出願の実施形態によって提供されるコンピュータプログラムを格納するコンピュータ記憶媒体は、当該プログラムがプロセッサによって実行されると、端末によって実行されるステップと、または基地局によって実行されるステップを実施する。
【発明の効果】
【００３２】
本願の実施形態によれば、ランダムアクセス中に、端末は、基地局によって構成されたＰＲＡＣＨ時間領域リソースを取得する。当該時間領域リソースには少なくとも１つのスロットが含まれているため、端末が基地局にランダムアクセスプリアンブルを送信する前に、端末はまず、基地局によって構成された少なくとも１つのスロットに、ＳＳ Ｂｌｏｃｋおよび/またはＲＭＳＩを送信するために使用される第１のタイプのＯＦＤＭシンボルが含まれているかどうかを判断し、基地局によって構成された少なくとも１つのスロットに、ＳＳ Ｂｌｏｃｋおよび/またはＲＭＳＩを送信するために使用される第１のタイプのＯＦＤＭシンボルが含まれている場合、端末は、少なくとも１つのスロット内の第１のタイプのＯＦＤＭシンボルと異なるＯＦＤＭシンボルにおいてランダムアクセスを実行する。このようにして、端末のランダムアクセスに使用されるリソースと、ＳＳ Ｂｌｏｃｋおよび/またはＲＭＳＩを送信するためのダウンリンクチャネルによって占有されるリソースと間の競合を回避し、およびシステム性能をさらに向上する。
【図面の簡単な説明】
【００３３】
本発明に係る実施例や従来の技術方案をより明確に説明するために、以下に実施例を説明するために必要な図面をについて簡単に紹介する。無論、以下の説明における図面は本発明に係る実施例の一部であり、当業者は、創造性作業を行わないことを前提として、これらの図面に基づいて他の図面を得ることができる。
【００３４】
【図１】本出願の実施形態に係るランダムアクセスシステムの概略構造図である。
【図２】本出願の実施形態に係る第１のタイプのスロットの概略図である。
【図３Ａ】本出願の実施形態に係る第２のタイプのスロットの概略図である。
【図３Ｂ】本出願の実施形態に係る第３のタイプのスロットの概略図である。
【図４】本出願の実施形態に係る、端末  がランダムアクセス方式を決定する第1のフローチャートである。
【図５】本出願の実施形態に係る、基地局がランダムアクセス方式を決定する第1のフローチャートである。
【図６】本出願の実施形態に係る、端末がランダムアクセス方式を決定する第２のフローチャートである。
【図７】本出願の実施形態に係る、基地局がランダムアクセス方式を決定する第２のフローチャートである。
【図８】本出願の実施形態に係る端末の概略構造図である。
【図９】本出願の実施形態に係る基地局の概略構造図である。
【図１０】本出願の実施形態に係る、ランダムアクセスのための装置の第１の概略構造図である。
【図１１】本出願の実施形態に係るランダムアクセスのための装置の第２の概略構造図である。
【図１２】本出願の実施形態に係るランダムアクセスための方法の第１のフローチャートである。
【図１３】本出願の実施形態に係るランダムアクセスための方法の第２のフローチャートである。
【発明を実施するための形態】
【００３５】
本明細書におけるいくつかの用語は、理解を容易にするために以下で説明される。
【００３６】
１．「ネットワーク」および「システム」という用語は、本明細書では交換可能であり、その意味は、当業者が理解できるはずである。
【００３７】
２．本明細書における表現「複数」は、２つまたは２つ以上を指す。
【００３８】
３．「および／または」という用語は、関連するオブジェクトを説明する関連関係のみであり、これは、例えばＡおよび／またはＢが、Ａのみ、ＡとＢ、Ｂだけのような３種類の関係があり得ることを意味する。さらに、特に明記しない限り、本明細書における文字「/」は、一般に、２つの関連オブジェクトが「あるいは」関係にあることを示す。
【００３９】
本発明に係る実施例の目的、技術案及びメリットをより明確にするため、以下、本発明に係る実施例の図面を参考しながら、本発明に係る実施例の技術案を明確かつ完全に説明する。説明した実施例は本発明の一部の実施例にすぎず、全部の実施例ではないのが明らかである。本発明の実施例に基づき、当業者は、創造性作業を行わない限りに得られた他の実施例は、全部本発明の保護範囲に属する。
【００４０】
図１に示すように、本出願の一実施形態に係るランダムアクセスシステムは、端末１０と基地局２０とを備える。
【００４１】
端末１０は、端末のための基地局によって構成された物理ランダムアクセスチャネル（ＰＲＡＣＨ）時間領域リソースを取得するように構成され、前記ＰＲＡＣＨ時間領域リソースは少なくとも１つのスロットを含み、前記少なくとも１つのスロットにＳＳ Ｂｌｏｃｋおよび/またはＲＭＳＩを送信するために使用される第１のタイプのＯＦＤＭシンボルが含まれると決定されると、前記少なくとも１つのスロット内の前記第１のタイプのＯＦＤＭシンボルと異なるＯＦＤＭシンボルにおいてランダムアクセスを実行する。
【００４２】
基地局２０は、端末のために構成されたＰＲＡＣＨ時間領域リソースを取得するように構成され、前記ＰＲＡＣＨ時間領域リソースは少なくとも１つのスロットを含み、前記少なくとも１つのスロットにＳＳ Ｂｌｏｃｋおよび/またはＲＭＳＩを送信するために使用される第１のタイプのＯＦＤＭシンボルが含まれると決定されると、前記少なくとも１つのスロットにおいて、前記第１のタイプのＯＦＤＭシンボルと異なるＯＦＤＭシンボル上でＰＲＡＣＨを受信および検出する。
【００４３】
本願の実施形態によれば、ランダムアクセス中に、端末は、基地局によって構成されたＰＲＡＣＨ時間領域リソースを取得する。当該時間領域リソースには少なくとも１つのスロットが含まれているため、端末が基地局にランダムアクセスプリアンブルを送信する前に、端末はまず、基地局によって構成された少なくとも１つのスロットに、ＳＳ Ｂｌｏｃｋおよび/またはＲＭＳＩを送信するために使用される第１のタイプのＯＦＤＭシンボルが含まれているかどうかを判断し、基地局によって構成された少なくとも１つのスロットに、ＳＳ Ｂｌｏｃｋおよび/またはＲＭＳＩを送信するために使用される第１のタイプのＯＦＤＭシンボルが含まれている場合、端末は、少なくとも１つのスロット内の第１のタイプのＯＦＤＭシンボルと異なるＯＦＤＭシンボルにおいてランダムアクセスを実行する。このようにして、端末のランダムアクセスに使用されるリソースと、ＳＳ Ｂｌｏｃｋおよび/またはＲＭＳＩを送信するためのダウンリンクチャネルによって占有されるリソースと間の競合を回避し、およびシステム性能をさらに向上する。
【００４４】
本願の実施形態のＰＲＡＣＨリソースの次元は、時間領域、周波数領域およびコード領域を含む。
【００４５】
ＰＲＡＣＨ時間領域リソースの定義は、ＰＲＡＣＨフォーマットに対応する無線フレーム、サブフレーム、スロットおよびＯＦＤＭシンボルに依存する。ここで、１つの無線フレームは１０個のサブフレーム（１ｍｓ）を含み、１つのサブフレームは１つ以上のスロットを含む。サブキャリア間隔（ＳＣＳ）が１５ ＫＨｚの場合、1つのスロットが含まれる。ＳＣＳが３０/６０/１２０ ＫＨｚの場合、２/４/８スロットがそれぞれ含まれる。
【００４６】
本出願の実施形態端末のために基地局によって構成されたＰＲＡＣＨ時間領域リソースは、少なくともスロットを示す。具体的には、ＰＲＡＣＨ時間領域リソースは、少なくとも１つのスロットを含む。
【００４７】
端末が基地局によって構成されたＰＲＡＣＨ時間領域リソースを使用してランダムアクセスを実行する前に、基地局によって構成された少なくとも１つのスロットに、ＳＳ Ｂｌｏｃｋおよび/またはＲＭＳＩを送信するために使用される第１のタイプのＯＦＤＭシンボルが含まれているかどうかを判断する。
【００４８】
含まれている場合、端末は、少なくとも１つのスロット内の第１のタイプのＯＦＤＭシンボルと異なるＯＦＤＭシンボルにおいてランダムアクセスを実行する。含まれていない場合、端末は、基地局によって構成されたスロット全体において、構成されたＰＲＡＣＨフォーマットおよび開始ＯＦＤＭシンボル位置に従って、必要なＯＦＤＭシンボルを選択する。基地局によって構成された周波数領域リソースと組み合わせてランダムアクセスを実行する。
【００４９】
対応して、基地局がＰＲＡＣＨを受信および検出する前、端末のために構成された少なくとも１つのスロットに、ＳＳ Ｂｌｏｃｋおよび/またはＲＭＳＩを送信するために使用される第１のタイプのＯＦＤＭシンボルが含まれているかどうかを判断する。
【００５０】
含まれると、基地局は、少なくとも１つのスロット内の第１のタイプのＯＦＤＭシンボルと異なるＯＦＤＭシンボルにおいて、ＰＲＡＣＨを受信および検出する。含まれていなければ、基地局は、端末のために構成されたスロット全体において、構成されたＰＲＡＣＨフォーマットおよび開始ＯＦＤＭシンボル位置に従って、検出が必要とするＯＦＤＭシンボルを選択し、基地局によって構成された周波数領域リソースと組み合わせてＰＲＡＣＨを受信および検出する。
【００５１】
任意選択で、端末は、前記少なくとも１つのスロットにＳＳ Ｂｌｏｃｋおよび/またはＲＭＳＩを送信するために使用される第１のタイプのＯＦＤＭシンボルが含まれると決定されると、以下の方式のいずれか１つに従ってランダムアクセスを実行する：
方式１、前記端末は、第１のタイプのＯＦＤＭシンボルを含まないスロットでランダムアクセスを実行する。
【００５２】
対応して、前記基地局は、第１のタイプのＯＦＤＭシンボルを含まないスロットにおいて、ＰＲＡＣＨを受信および検出する。
【００５３】
方式１が使用される場合、端末は、第１のタイプのＯＦＤＭシンボルを含まないスロットにおいてのみ、ランダムアクセスを実行する。端末のための基地局によって現在構成されたＰＲＡＣＨ時間領域リソースに第１のタイプのＯＦＤＭシンボルを含まないスロットがなければ、端末はこのＰＲＡＣＨ送信周期内でランダムアクセスを実行せず、次のＰＲＡＣＨ送信周期を待つ。
【００５４】
対応して、基地局は、第１のタイプのＯＦＤＭシンボルを含まないスロットにおいてのみ、ＰＲＡＣＨを受信および検出する。現在構成されたＰＲＡＣＨ時間領域リソースに第１のタイプのＯＦＤＭシンボルを含まないスロットがないと、基地局は、このＰＲＡＣＨ送信周期内でＰＲＡＣＨを受信および検出せず、次のＰＲＡＣＨ送信周期を待つ。
【００５５】
方式２：前記端末は、第１のタイプのＯＦＤＭシンボルを含むスロット内の前記第１のタイプのＯＦＤＭシンボルを除く連続ＯＦＤＭシンボルにおいてランダムアクセスを実行する。
【００５６】
対応して、前記基地局は、第１のタイプのＯＦＤＭシンボルを含むスロット内の前記第１のタイプのＯＦＤＭシンボルを除く連続ＯＦＤＭシンボルにおいて、ＰＲＡＣＨを受信および検出する。
【００５７】
上記の２つの方式を以下に詳細に説明する。
【００５８】
ケースＩ、端末は、第１のタイプのＯＦＤＭシンボルを含まないスロットでランダムアクセスを実行し、
ケースＩでは、基地局は、第１のタイプのＯＦＤＭシンボルを含まないスロットにおいてランダムアクセスを実行する。
【００５９】
端末は、以下の方式でランダムアクセス方式を決定する：
ここで、ランダムアクセスを実行する方式は上記の方式１または方式２である。
【００６０】
（あ）前記端末は、所定のルールに従ってランダムアクセス方式を決定する。
【００６１】
対応して、基地局所定のルールに従って、ＰＲＡＣＨを受信および検出する方式を決定する。
【００６２】
所定のルールは、プロトコル事前定義であってもよく、端末および基地局に対して事前構成されていることに留意されたい。
【００６３】
（い）端末は、基地局によって前記ＲＭＳＩを通じて送信された指示シグナリングを受信し、前記指示シグナリングに従って、ランダムアクセス方式を決定する。
【００６４】
対応して、基地局は、セル半径大小およびセル負荷などの情報に従って端末がランダムアクセスを実行する方式を決定し、端末ランダムアクセスを実行する方式を、指示シグナリングにより端末に通知する。
【００６５】
任意選択で、当該指示シグナリングはＲＭＳＩによって搬送される。
【００６６】
ケースＩに対応するランダムアクセス方式は、以下で詳細に説明される。
【００６７】
１.端末のために基地局によって構成されたＰＲＡＣＨ時間領域リソースは、１つのスロットを含む：
端末は、現在のスロットが第１のタイプのＯＦＤＭシンボルを含むかどうかを判断する。含まない場合、端末はこのスロットでランダムアクセスを実行する。含む場合、端末はこのＰＲＡＣＨ送信周期内でランダムアクセスを実行せず、次のＰＲＡＣＨ送信周期を待って、再び判断する。
【００６８】
対応して、基地局は、現在のスロットが第１のタイプのＯＦＤＭシンボルを含むかどうかを判断する。含まない場合、基地局は、当該スロットでＰＲＡＣＨを受信および検出する。含む場合、端末は、このＰＲＡＣＨ送信周期内でランダムアクセスを実行せず、次のＰＲＡＣＨ送信周期を待って、再び判断する。
【００６９】
２、端末のために基地局によって構成されたＰＲＡＣＨ時間領域リソースは、複数のスロットを含む：
端末は、現在のスロットが第１のタイプのＯＦＤＭシンボルを含むかどうかを判断する。含まない場合、端末はこのスロットでランダムアクセスを実行する。含む場合、端末は、第１のタイプのＯＦＤＭシンボルを含まないスロットが決定されるまで、断構成された複数のスロットの次のスロット内が第１のタイプのＯＦＤＭシンボルを含むかどうかを判断する。第１のタイプのＯＦＤＭシンボルを含まないスロットにおいてランダムアクセスを実行する。構成された複数のスロットがすべて第1のタイプのＯＦＤＭシンボルを含む場合、端末はこのＰＲＡＣＨ送信周期内でランダムアクセスを実行せず、次のＰＲＡＣＨ送信周期を待って、再び判断する。
【００７０】
対応して、基地局は、現在のスロットが第１のタイプのＯＦＤＭシンボルを含むかどうかを判断する。含まない場合、基地局は、当該スロットでＰＲＡＣＨを受信および検出する。含む場合、基地局は、第１のタイプのＯＦＤＭシンボルを含まないスロットが決定されるまで、端末のために構成された複数のスロットの次のスロットが第１のタイプのＯＦＤＭシンボルを含むかどうかを判断する。第１のタイプのＯＦＤＭシンボルを含まないスロットにおいて、ＰＲＡＣＨを受信および検出する。構成された複数のスロットがすべて第1のタイプのＯＦＤＭシンボルを含む場合、基地局は、このＰＲＡＣＨ送信周期内でＰＲＡＣＨを受信および検出せず、次のＰＲＡＣＨ送信周期を待って、再び判断する。
【００７１】
端末が第１のタイプのＯＦＤＭシンボルを含まないスロットでランダムアクセスを実行するとき、特定のランダムアクセス方法は、従来技術の方法を使用してもよく、詳細は説明されないことに留意されたい。
【００７２】
同様に、基地局が第１のタイプのＯＦＤＭシンボルを含まないスロットでＰＲＡＣＨを受信および検出するとき、特定のＰＲＡＣＨ受信および検出方法は、従来技術の方法を使用することができ、詳細は説明されないことに留意されたい。
【００７３】
ケースＩＩでは、端末は、第１のタイプのＯＦＤＭシンボルを含むスロット内の前記第１のタイプのＯＦＤＭシンボルを除く連続ＯＦＤＭシンボルにおいて、ランダムアクセスを実行するか、第１のタイプのＯＦＤＭシンボルを含まないスロットにおいてランダムアクセスを実行する。
【００７４】
対応して、基地局は、第１のタイプのＯＦＤＭシンボルを含むスロット内の前記第１のタイプのＯＦＤＭシンボルを除く連続ＯＦＤＭシンボルにおいて、ＰＲＡＣＨを受信および検出するか、第１のタイプのＯＦＤＭシンボルを含まないスロットにおいて、ＰＲＡＣＨを受信および検出する。
【００７５】
ケースＩＩでは、端末は、任意の方法でランダムアクセスを実行することができ、それに応じて、基地局は、任意の方法でＰＲＡＣＨを受信および検出することができることに留意されたい。
【００７６】
端末は、以下の方式でランダムアクセス方式を決定する：
ここで、ランダムアクセスを実行する方式は、上記の方式１または方式２である。
【００７７】
（あ）前記端末は、所定のルールに従ってランダムアクセス方式を決定する。
【００７８】
対応して、基地局所定のルールに従って、ＰＲＡＣＨを受信および検出する方式を決定する。
【００７９】
所定のルールは、プロトコルで事前定義であってもよく、端末および基地局に対して事前構成されていることに留意されたい。
【００８０】
（い）端末は、基地局によって前記ＲＭＳＩを通じて送信された指示シグナリングを受信し、前記指示シグナリングに従って、ランダムアクセス方式を決定する。
【００８１】
対応して、基地局は、セル半径大小およびセル負荷などの情報に従って端末がランダムアクセスを実行する方式を決定し、端末ランダムアクセスを実行する方式を、指示シグナリングにより端末に通知する。任意選択で、当該指示シグナリングはＲＭＳＩによって搬送される。
【００８２】
端末が、第１のタイプのＯＦＤＭシンボルを含むスロット内の前記第１のタイプのＯＦＤＭシンボルを除くＯＦＤＭシンボルにおいてランダムアクセスを実行する前に、端末は、当該第１のタイプのＯＦＤＭシンボルを含むスロットが条件を満たすかどうかを判断する：
任意選択で、端末は、前記第１のタイプのＯＦＤＭシンボルを含むスロット内の前記第１のタイプのＯＦＤＭシンボルを除く、アップリンク送信のための残りの連続ＯＦＤＭシンボルの数がランダムアクセス実際に使用されるＯＦＤＭシンボルの数より少なくないことを決定する。
【００８３】
ここで、ランダムアクセス実際に使用されるＯＦＤＭシンボルの数は、端末のために基地局によって構成されたＰＲＡＣＨフォーマットに含まれるＯＦＤＭシンボルの数である。
【００８４】
１つのスロットにおいて、残りの連続ＯＦＤＭシンボルの数は、ダウンリンクチャネルおよび信号によって占有されるＯＦＤＭシンボルを除く連続ＯＦＤＭシンボルの最大数を指す。残りの連続ＯＦＤＭシンボルの数を計算する場合、ダウンリンク信号および信号のＳＣＳに従って計算される。アップリンクランダムアクセス送信に使用される連続ＯＦＤＭシンボルの継続時間は、アップリンクＰＲＡＣＨフォーマットのＳＣＳに従って計算される。このため、アップリンクＳＣＳとダウンリンクＳＣＳの比の関係に従って実際可用于アップリンクランダムアクセス的連続ＯＦＤＭシンボルの数が計算される。
【００８５】
任意選択で、前記端末は、以下の方式でアップリンク送信のための残りの連続ＯＦＤＭシンボルの数を決定する：
前記端末は、前記基地局によって構成されたＰＲＡＣＨのサブキャリア間隔（ＳＣＳ）と前記ＳＳ ＢｌｏｃｋのＳＣＳとの比（Ｒａｔｉｏ）を決定し、前記端末は、前記第１のタイプのＯＦＤＭシンボルを含むスロット内の残りの連続ＯＦＤＭシンボルの数と前記比（Ｒａｔｉｏ）との積を、前記アップリンク送信のための残りの連続ＯＦＤＭシンボルの数として決定する。
【００８６】
対応して、基地局が、第１のタイプのＯＦＤＭシンボルを含むスロット内の前記第１のタイプのＯＦＤＭシンボルを除くＯＦＤＭシンボルにおいて、ＰＲＡＣＨを受信および検出する前、基地局は、当該第１のタイプのＯＦＤＭシンボルを含むスロットが条件を満たすかどうかを判断する。
【００８７】
基地局は、前記第１のタイプのＯＦＤＭシンボルを含むスロット内の第１のタイプのＯＦＤＭシンボル除くアップリンク送信のための残りの連続ＯＦＤＭシンボルの数がランダムアクセス実際に使用されるＯＦＤＭシンボルの数より少なくないと決定する。
【００８８】
ここで、ランダムアクセス実際に使用されるＯＦＤＭシンボルの数は、端末のために基地局によって構成されたＰＲＡＣＨフォーマットに含まれるＯＦＤＭシンボルの数に等しい。
【００８９】
１つのスロットにおいて、残りの連続ＯＦＤＭシンボルの数は、ダウンリンクチャネルおよび信号によって占有されるＯＦＤＭシンボルを除く連続ＯＦＤＭシンボルの最大数を指す。残りの連続ＯＦＤＭシンボルの数を計算する場合、ダウンリンク信号および信号のＳＣＳに従って計算される。アップリンクランダムアクセス送信に使用される連続ＯＦＤＭシンボルの継続時間は、アップリンクＰＲＡＣＨフォーマットのＳＣＳに従って計算される。このため、アップリンクＳＣＳとダウンリンクＳＣＳの比の関係に従って実際可用于アップリンクランダムアクセス的連続ＯＦＤＭシンボルの数が計算される。
【００９０】
任意選択で、基地局は、下記の方式に従って、アップリンク送信のための残りの連続ＯＦＤＭシンボルの数を決定する：
前記基地局は、前記端末のために構成されたＰＲＡＣＨのサブキャリア間隔（ＳＣＳ）と前記ＳＳ ＢｌｏｃｋのＳＣＳとの比（Ｒａｔｉｏ）を決定し、前記基地局は、前記第１のタイプのＯＦＤＭシンボルを含むスロット内の残りの連続ＯＦＤＭシンボルの数と前記比（Ｒａｔｉｏ）との積を、前記アップリンク送信のための残りの連続ＯＦＤＭシンボルの数として決定する。
【００９１】
アップリンク送信のための残りの連続するＯＦＤＭシンボルの数を決定するために端末および基地局によって使用される方法は同じであることに留意すべきである。
【００９２】
以下のいくつかの特定の例は、アップリンク送信のための残りの連続するＯＦＤＭシンボルの数を決定する方法が、端末および基地局にも適用可能であることを示している。
【００９３】
１つのスロット内の残りの連続するＯＦＤＭシンボルの数がＴ１であると定義される。ここで、残りの連続ＯＦＤＭシンボルの数は、スロット中ダウンリンクチャネル和信号によって占有されるＯＦＤＭシンボルを除く連続ＯＦＤＭシンボルの最大数である。アップリンク送信のための残りの連続するＯＦＤＭシンボルの数はＴ２であると定義される。例として、ダウンリンク送信用のＳＳ Ｂｌｏｃｋを取り上げる。ここで、ＳＳ ＢｌｏｃｋのＳＣＳは１５ ＫＨｚ、３０ ＫＨｚ、1２０ ＫＨｚ、および２4０ ＫＨｚであり、アップリンク送信のためのＰＲＡＣＨのＳＣＳは１５ ＫＨｚ、３０ ＫＨｚ、6０ ＫＨｚ、および1２０ ＫＨｚである。ＰＲＡＣＨのＳＣＳとＳＳ ＢｌｏｃｋのＳＣＳの比（Ｒａｔｉｏ）が定義される。
【００９４】
以下の式（１）は、Ｔ２、Ｔ１、および比（Ｒａｔｉｏ）の関係を提供する：
Ｔ２ = Ｔ１ * Ｒａｔｉｏ                  式（１）
【００９５】
例１：ＳＣＳ（ＳＳ Ｂｌｏｃｋ）= ３０ＫＨｚ，ＳＣＳ（ＳＳ Ｂｌｏｃｋ）= ６０ＫＨｚ，ＰＲＡＣＨのＳＣＳとＳＳ ＢｌｏｃｋのＳＣＳとの比（Ｒａｔｉｏ） = ２、Ｔ２ = Ｔ１* Ｒａｔｉｏ = Ｔ１*２。
【００９６】
例２：ＳＣＳ (ＳＳ Ｂｌｏｃｋ) = ３０ＫＨｚ，ＳＣＳ (ＰＲＡＣＨ) = １５ＫＨｚ，ＰＲＡＣＨとＳＳ ＢｌｏｃｋのＳＣＳとの比（Ｒａｔｉｏ） = １/２、Ｔ２ = Ｔ１* Ｒａｔｉｏ = Ｔ１*１/２。
【００９７】
例３：ＳＣＳ (ＳＳ Ｂｌｏｃｋ) = ２４０ＫＨｚ，ＳＣＳ (ＰＲＡＣＨ) = １２０ＫＨｚ，ＰＲＡＣＨとＳＳ ＢｌｏｃｋのＳＣＳとの比（Ｒａｔｉｏ） = １/２、Ｔ２ = Ｔ１* Ｒａｔｉｏ = Ｔ１*１/２。
【００９８】
例４：ＳＣＳ (ＳＳ Ｂｌｏｃｋ) = １５ＫＨｚ，ＳＣＳ (ＰＲＡＣＨ) = ３０ＫＨｚ，ＰＲＡＣＨとＳＳ ＢｌｏｃｋのＳＣＳとの比（Ｒａｔｉｏ） = ２、Ｔ２ = Ｔ１* Ｒａｔｉｏ = Ｔ１*２。
【００９９】
例えば、図２に示すスロットの場合、１つのスロットの継続時間は１ｍｓであり、スロットは１４個のＯＦＤＭシンボルを含み、したがって、ダウンリンク送信のＳＳブロックのＳＣＳは１５ＫＨｚである。２つのＳＳ Ｂｌｏｃｋがそれぞれシンボル２からシンボル5、シンボル8からシンボル11において送信される。２つの連続ＯＦＤＭシンボルは２つのＳＳ Ｂｌｏｃｋ間で予約され、２つの連続ＯＦＤＭシンボルもスロットのテールに予約される。したがって、現在のスロット内の残りの連続ＯＦＤＭシンボルの数Ｔ1は２に等しい。
【０１００】
基地局によって構成されたＰＲＡＣＨフォーマットのＳＣＳが３０ＫＨｚである場合、アップリンク送信のための残りの連続ＯＦＤＭシンボルの数Ｔ２ = Ｔ１*２=４。
【０１０１】
端末のために基地局によって構成されるＰＲＡＣＨフォーマットに含まれるＯＦＤＭシンボルの数が４以下である場合、端末はこのスロットでランダムアクセスを実行することができる。端末の基地局が設定するＰＲＡＣＨフォーマットに含まれるＯＦＤＭシンボルの数が４を超える場合、端末はこのスロットでランダムアクセスを実行できない可能性がある。
【０１０２】
本出願の実施形態によれば、端末は、第１のタイプのＯＦＤＭシンボルを含むスロット内の前記第１のタイプのＯＦＤＭシンボルを除くＯＦＤＭシンボルにおいて、においてランダムアクセスを実行することができると決定された後、端末は、以下の方式で第１のタイプのＯＦＤＭシンボルを含むスロット内の前記第１のタイプのＯＦＤＭシンボルを除く連続ＯＦＤＭシンボルにおいてランダムアクセスを実行する：
前記端末は、前記第１のタイプのＯＦＤＭシンボルを含むスロットから前記第１のタイプのＯＦＤＭシンボルの間の少なくとも１つのアイドルＯＦＤＭシンボルを選択し、または、前記第１のタイプのＯＦＤＭシンボルを含むスロットのテールから少なくとも１つのアイドルＯＦＤＭシンボルを選択し、前記端末は、選択されたＯＦＤＭシンボルにおいてランダムアクセスを実行する。
【０１０３】
対応して、基地局が第１のタイプのＯＦＤＭシンボルを含むスロット内の前記第１のタイプのＯＦＤＭシンボルを除くＯＦＤＭシンボルにおいて、ＰＲＡＣＨを受信および検出できると判断した後、基地局は以下の方式で第１のタイプのＯＦＤＭシンボルを含むスロット内の前記第１のタイプのＯＦＤＭシンボルを除く連続ＯＦＤＭシンボルにおいて、ＰＲＡＣＨを受信および検出する：
前記基地局は、前記第１のタイプのＯＦＤＭシンボルを含むスロットから前記第１のタイプのＯＦＤＭシンボルの間の少なくとも１つのアイドルＯＦＤＭシンボルを選択し、または、前記第１のタイプのＯＦＤＭシンボルを含むスロットのテールから少なくとも１つのアイドルＯＦＤＭシンボルを選択し、前記基地局は、選択されたＯＦＤＭシンボルにおいてＰＲＡＣＨを受信および検出する。
【０１０４】
以下は、いくつかの特定の例によって、第１のタイプのＯＦＤＭシンボルを含むスロット内の第１のタイプのＯＦＤＭシンボルを除いく連続ＯＦＤＭシンボルにおいて、端末がランダムアクセスを実行する方法を説明する。
【０１０５】
例Ｉ：
図３Ａに示されるようなスロットの場合、１つのスロットの継続時間は１ｍｓであり、スロットは１４個のＯＦＤＭシンボルを含む。２つのＳＳ Ｂｌｏｃｋがそれぞれシンボル２からシンボル5に、シンボル8からシンボル11において送信される。２つの連続ＯＦＤＭシンボルは２つのＳＳ Ｂｌｏｃｋ間で予約され、２つの連続ＯＦＤＭシンボルもスロットのテールに予約される。したがって、現在のスロット内の残りの連続ＯＦＤＭシンボルの数Ｔ１=２。
【０１０６】
スロットがランダムアクセスに使用され得るかどうかは、以下で決定される。
【０１０７】
端末は、アップリンクのための残りの連続ＯＦＤＭシンボルの数を計算し、算出されたアップリンク送信のための残りの連続ＯＦＤＭシンボルの数を、ランダムアクセス実際に使用されるＯＦＤＭシンボルの数と比較する。
【０１０８】
ＳＳブロックのＳＣＳおよびＰＲＡＣＨフォーマットのＳＣＳが両方とも１５ＫＨｚに等しい場合、ＰＲＡＣＨのＳＣＳとＳＳ ＢｌｏｃｋのＳＣＳとの比（Ｒａｔｉｏ）=１。アップリンク送信のための残りの連続ＯＦＤＭシンボルの数Ｔ２=Ｔ１*Ｒａｔｉｏ=２。
【０１０９】
基地局によって構成されたＰＲＡＣＨフォーマットのＯＦＤＭの数が２以下である場合、端末は、図３Ａに示されるようにスロットでランダムアクセスを実行することができる。たとえば、ＰＲＡＣＨのＳＣＳは１５ ＫＨｚで、ＰＲＡＣＨフォーマットはＡ０またはＣ０である。図３Ａでは、Ａ０を例にしている。端末は、２つのＳＳ Ｂｌｏｃｋ間のランダムアクセスプリアンブルの送信用に２つの連続ＯＦＤＭシンボルを予約するか、スロットのテールにランダムアクセスプリアンブルの送信用に２つの連続ＯＦＤＭシンボルを予約する。固定送信開始位置は、第１のＯＦＤＭシンボルの開始位置または固定オフセット（ｏｆｆｓｅｔ）位置にあり、ここで、offset = ０us，または、Ｔ_ofｄｍ/２であり、 Ｔ_ofｄｍはＯＦＤＭシンボルの長さを表す。
【０１１０】
基地局によって構成されたＰＲＡＣＨフォーマットのＯＦＤＭの数が２以下である場合、端末は、図３Ａに示されるようにスロットでランダムアクセスプリアンブルを送信しないかもしれない。
【０１１１】
例II：
図３Ｂに示すスロットの場合、１つのスロットの継続時間は１ｍｓであり、ダウンリンク送信のためのＳＳブロックのＳＣＳは１５ＫＨｚであり、合計１４のＯＦＤＭシンボルが含まれる。２つのＳＳ Ｂｌｏｃｋがそれぞれシンボル２からシンボル５、シンボル８からシンボル11に送信される。２つの連続ＯＦＤＭシンボルは２つのＳＳ Ｂｌｏｃｋ間で予約され、２つの連続ＯＦＤＭシンボルもスロットのテールに予約される。したがって、現在のスロット内の残りの連続ＯＦＤＭシンボルの数Ｔ1は２に等しくなる。
【０１１２】
スロットがランダムアクセスに使用され得るかどうかは、以下で決定される。
【０１１３】
端末は、アップリンク送信のための残りの連続ＯＦＤＭシンボルの数を計算し、アップリンク送信のための残りの連続ＯＦＤＭシンボルの計算された数を、ランダムアクセスに実際に使用されるＯＦＤＭシンボルの数と比較する。
【０１１４】
図３Ｂに示すように、端末のために基地局によって構成されたＰＲＡＣＨフォーマットのＳＣＳが３０ＫＨｚに等しい場合、ＰＲＡＣＨフォーマットのＳＣＳとＳＳブロックのＳＣＳとの比（Ｒａｔｉｏ）=２である。アップリンク送信のための残りの連続ＯＦＤＭシンボルの数は、Ｔ２=Ｔ１*Ｒａｔｉｏ=４である。
【０１１５】
基地局によって構成されたＰＲＡＣＨフォーマットがＡ０、Ａ１、Ａ２、Ｂ１、Ｂ２、Ｃ０、およびＣ２である場合、ＰＲＡＣＨフォーマットに含まれるＯＦＤＭの数が４以下である場合、端末は図３Ｂに示すスロットでランダムアクセスを実行することができる。たとえば、ＰＲＡＣＨフォーマットがＡ０、Ａ1、およびＡ２である場合を例として取り上げる。端末は、ランダムアクセス中に図３Ｂに示す方法を使用する。端末の２つのＳＳ Ｂｌｏｃｋ間のアップリンク送信のための残りの4つの連続ＯＦＤＭシンボルがランダムアクセスプリアンブルを送信するか、当該スロットの最後のアップリンク送信のための残りの4つの連続ＯＦＤＭシンボルがランダムアクセスプリアンブルを送信する。固定送信開始位置は、第１のＯＦＤＭシンボルの開始位置または固定オフセット（ｏｆｆｓｅｔ）位置である。ここで、offset = ０us，またはＴ_ofｄｍ/２，Ｔ_ofｄｍはＯＦＤＭシンボルの長さを表す。
【０１１６】
基地局によって構成されたＰＲＡＣＨフォーマットのＯＦＤＭの数が４以下である場合、ランダムアクセスプリアンブルは、当該スロットの前記ＯＦＤＭシンボル上で送信されないかもしれない。
【０１１７】
端末は、ケースＩＩの方法でランダムアクセスを実行するとき、以下の２つの方式を使用することができる。
【０１１８】
方式１：端末は、第１のタイプのＯＦＤＭシンボルを含むスロット内の前記第１のタイプのＯＦＤＭシンボルを除く連続ＯＦＤＭシンボル上でランダムアクセスを実行する。
【０１１９】
方式２：端末は、第１のタイプのＯＦＤＭシンボルを含まないスロットでランダムアクセスを実行する。
【０１２０】
端末がランダムアクセスを実行するとき、上記の方式１および方式２のいずれか１つを使用することができる。
【０１２１】
対応して、基地局は、以下の２つの方式でＰＲＡＣＨを受信および検出する：
基地局は、第１のタイプのＯＦＤＭシンボルを含むスロット内の前記第１のタイプのＯＦＤＭシンボルを除く連続ＯＦＤＭシンボルにおいて、ＰＲＡＣＨを受信および検出するか、第１のタイプのＯＦＤＭシンボルを含まないスロットにおいて、ＰＲＡＣＨを受信および検出する。
【０１２２】
図４に示すように、端末のために基地局によって構成されたＰＲＡＣＨ時間領域リソースが１つのスロットを含む場合、端末は、以下のステップに従ってランダムアクセス方式を決定する。
【０１２３】
ステップ４０１：端末は、現在のスロットが第１のタイプのＯＦＤＭシンボルを含むかどうかを判断する。「いいえ」の場合ステップ４０２が実行され、「はい」の場合テップ４０３が実行される。
【０１２４】
ステップ４０２：端末は、当該スロットにおいてランダムアクセスを実行する。
【０１２５】
ステップ４０３：端末は、現在のスロット内の前記第１のタイプのＯＦＤＭシンボルを除くアップリンク送信のための残りの連続ＯＦＤＭシンボルの数が、ランダムアクセス実際に使用されるＯＦＤＭシンボルの数より少ないかどうかを判断する。ＮＯ」の場合ステップ４０４が実行される。「はい」の場合ステップ４０５が実行される。
【０１２６】
ステップ４０４：端末は、現在のスロット内のアップリンク送信のための残りの連続ＯＦＤＭシンボルにおいて、ランダムアクセスを実行する。
【０１２７】
ステップ４０５：端末はこのＰＲＡＣＨ送信周期内でランダムアクセスを実行せず、次のＰＲＡＣＨ送信周期を待って、再び判断する。
【０１２８】
対応して、図５に示すように、基地局は、以下のステップに従ってＰＲＡＣＨを受信および検出する方式を決定する。
【０１２９】
ステップ５０１：基地局は、現在のスロットが第１のタイプのＯＦＤＭシンボルを含むかどうかを判断する。「いいえ」の場合ステップ５０２が実行される。「はい」の場合ステップ５０３が実行される。
【０１３０】
ステップ５０２：基地局は、当該スロットでＰＲＡＣＨを受信および検出する。
【０１３１】
ステップ５０３：基地局は、現在のスロット内の前記第１のタイプのＯＦＤＭシンボルを除くアップリンク送信のための残りの連続ＯＦＤＭシンボルの数が、ランダムアクセス実際に使用されるＯＦＤＭシンボルの数より少ないかどうかを判断する。「いいえ」の場合ステップ５０４が実行される。「はい」の場合ステップ５０５が実行される。
【０１３２】
ステップ５０４：基地局は、現在のスロット内のアップリンク送信のための残りの連続ＯＦＤＭシンボルにおいて、ＰＲＡＣＨを受信および検出する。
【０１３３】
ステップ５０５：基地局は、このＰＲＡＣＨ送信周期内でランダムアクセスを実行せず、次のＰＲＡＣＨ送信周期を待って、再び判断する。
【０１３４】
端末のために基地局によって構成されたＰＲＡＣＨ時間領域リソースは、複数のスロットを含む場合、図６に示すように、端末は、以下のステップに従ってランダムアクセス方式を決定する：
ステップ６０１：端末は、現在のスロットが第１のタイプのＯＦＤＭシンボルを含むかどうかを判断する。「いいえ」の場合ステップ６０２が実行される。「はい」の場合ステップ６０３が実行される。
【０１３５】
ステップ６０２：端末は、当該スロットにおいてランダムアクセスを実行する。
【０１３６】
ステップ６０３：端末は、現在のスロット内の前記第１のタイプのＯＦＤＭシンボルを除くアップリンク送信のための残りの連続ＯＦＤＭシンボルの数が、ランダムアクセス実際に使用されるＯＦＤＭシンボルの数より少ないかどうかを判断する。「いいえ」の場合ステップ６０４が実行される。「はい」の場合ステップ６０５が実行される。
【０１３７】
ステップ６０４：端末は、現在のスロット内のアップリンク送信のための残りの連続ＯＦＤＭシンボルにおいて、ランダムアクセスを実行する。
【０１３８】
ステップ６０５：端末は、基地局によって構成された複数のスロットの次のスロットを、現在のスロットとして決定する。ステップ６０１に戻る。
【０１３９】
ステップ６０６：端末のために基地局によって構成された複数のスロットのいずれも条件を満たさない場合、端末はこのＰＲＡＣＨ送信周期内でランダムアクセスを実行せず、次のＰＲＡＣＨ送信周期を待って、再び判断する。
【０１４０】
端末のために基地局によって構成されたＰＲＡＣＨ時間領域リソースが、複数のスロットを含むとき、現在のスロットが第１のタイプのＯＦＤＭシンボルを含まないと判断される場合、端末は、次のスロットを判断してもよい。次のスロットが第１のタイプのＯＦＤＭシンボルを含む場合、第１のタイプのＯＦＤＭシンボルを除くＯＦＤＭシンボルにおいてランダムアクセスを実行する。
【０１４１】
対応して、図７に示されるように、基地局は、以下のステップに従ってＰＲＡＣＨ受信および検出方式を決定する。
【０１４２】
ステップ７０１：基地局は、現在のスロットが第１のタイプのＯＦＤＭシンボルを含むかどうかを判断する。「いいえ」の場合ステップ７０２が実行される。「はい」の場合ステップ７０３が実行される。
【０１４３】
ステップ７０２：基地局は、当該スロットでＰＲＡＣＨを受信および検出する。
【０１４４】
ステップ７０３：基地局は、現在のスロット内の前記第１のタイプのＯＦＤＭシンボルを除くアップリンク送信のための残りの連続ＯＦＤＭシンボルの数が、ランダムアクセス実際に使用されるＯＦＤＭシンボルの数より少ないかどうかを判断する。「いいえ」の場合ステップ７０４が実行される。「はい」の場合ステップ７０５が実行される。
【０１４５】
ステップ７０４：基地局は、現在のスロット内のアップリンク送信のための残りの連続ＯＦＤＭシンボルにおいて、ＰＲＡＣＨを受信および検出する。
【０１４６】
ステップ７０５：基地局は、端末のために構成された複数のスロットの次のスロットを現在のスロットとして決定し、ステップ７０１に戻る。
【０１４７】
ステップ７０６：端末のために基地局によって構成された複数のスロットのいずれも条件を満たさない場合、基地局は、ＰＲＡＣＨ送信周期内のＰＲＡＣＨ送信周期内のＰＲＡＣＨを受信および検出せず、次のＰＲＡＣＨ送信周期を待って、再び判断する。
【０１４８】
図８に示すように、本出願の実施形態に係る第１のタイプの端末は、プロセッサ８００、メモリ８０１、送受信機８０２、およびバスインターフェースを含む。
【０１４９】
プロセッサ８００は、バスアーキテクチャ及び通常の処理を管理し、メモリ８０１は、プロセッサ８００が動作する際に利用するデータを記憶することができる。送受信機８０２は、プロセッサ８００制御の下でデータを送受信する。
【０１５０】
バスアーキテクチャは、いずれ数の相互接続するバス及びブリッジを備える。具体的に、プロセッサ８００が代表となる１つまたは複数のプロセッサ及びメモリ８０１が代表となるメモリの多様な回路により接続される。バスアーキテクチャは、外部設備、電圧レギュレーター及び電力管理回路等の他の回路を接続することもできる。これらは、当該分野の周知技術であるため、本発明において、詳細に説明しない。バスインターフェースはインターフェースを提供する。プロセッサ８００は、バスアーキテクチャ及び通常の処理を管理し、メモリ８０１は、プロセッサ８００が動作する際に利用するデータを記憶することができる。
【０１５１】
本発明に係る実施例により開示された流れは、プロセッサ８０１に適用することができるか、または、プロセッサ８０１により実現される。実現の間、周波数ドメインにおける拡散伝送流れにおける各々ステップは、プロセッサ８０１内のハードウェアの論理集積回路またはソフトウェア形式の指令により完成されることができる。プロセッサ８０１は、汎用プロセッサ、デジタル信号プロセッサ、専用集積回路、フィールドプログラマブル・ゲートアレイまたはたのプログラマブルロジック・デバイス、ディスクリート・ゲートまたはトランジスタロジック・デバイス 、ディスクリート・ハードウェアコンポネントであることができ、本発明に係る実施例により開示した各々方法、ステップ及びロジックブロック図を実現・執行することができる。汎用プロセッサはマイクロプロセッサまたはいずれのノーマルプロセッサなどであることができる。本発明に係る実施例に開示された方法のステップを参照すれば、ハードウェアプロセッサにより直接に執行して完成するか、または、プロセッサ内のハードウェア及びソフトウェアモジュールの組み合わせにより執行されて完成することができる。ソフトウェアモジュールは、ランダムメモリ、フラッシュメモリ、リードオンリーメモリ，プログラマブルリードオンリーメモリまたは電気的消去可能プログラマブルメモリ、レジスタなど本分野のよく知られる記憶媒体に格納されることができる。当該記憶媒体はメモリ８０２に位置し、プロセッサ８０１はメモリ８０２に格納される情報を読み出して、そのハードウェアと協働して信号処理フローのステップを完成する。
【０１５２】
具体的に、前記プロセッサ８００は、メモリ８０１内のプログラムを読み取り、以下を実行するように構成される：
端末のための基地局によって構成された物理ランダムアクセスチャネル（ＰＲＡＣＨ）時間領域リソースを決定し、前記ＰＲＡＣＨ時間領域リソースは少なくとも１つのスロットを含み、前記少なくとも１つのスロットにＳＳ Ｂｌｏｃｋおよび/またはＲＭＳＩを送信するために使用される第１のタイプのＯＦＤＭシンボルが含まれると決定されると、前記少なくとも１つのスロット内の前記第１のタイプのＯＦＤＭシンボルと異なるＯＦＤＭシンボルにおいてランダムアクセスを実行する。
【０１５３】
任意選択で、前記プロセッサ８００は具体的に、
以下の方式のいずれか１つに従ってランダムアクセスを実行する：
方式１：第１のタイプのＯＦＤＭシンボルを含まないスロットにおいてランダムアクセスを実行する。
【０１５４】
方式２：第１のタイプのＯＦＤＭシンボルを含むスロット内の前記第１のタイプのＯＦＤＭシンボルを除く連続ＯＦＤＭシンボルにおいてランダムアクセスを実行する。
【０１５５】
任意選択で、前記プロセッサ８００は具体的に、下記の方式に従って、ランダムアクセス方式を決定する：
所定のルールに従って、ランダムアクセス方式を決定し、または、
基地局によって前記ＲＭＳＩを通じて送信された指示シグナリングを受信し、前記指示シグナリングに従って、ランダムアクセス方式を決定する。
【０１５６】
任意選択で、前記プロセッサ８００はさらに、
第１のタイプのＯＦＤＭシンボルを含むスロット内の前記第１のタイプのＯＦＤＭシンボルを除く連続ＯＦＤＭシンボルにおいてランダムアクセスを実行する前に、前記第１のタイプのＯＦＤＭシンボルを含むスロット内の前記第１のタイプのＯＦＤＭシンボルを除く、アップリンク送信のための残りの連続ＯＦＤＭシンボルの数がランダムアクセス実際に使用されるＯＦＤＭシンボルの数より少なくないことを決定する。
【０１５７】
任意選択で、前記プロセッサ８００は具体的に、下記の方式に従って、アップリンク送信のための残りの連続ＯＦＤＭシンボルの数を決定する：
前記基地局によって構成されたＰＲＡＣＨのサブキャリア間隔（ＳＣＳ）と前記ＳＳ ＢｌｏｃｋのＳＣＳとの比（Ｒａｔｉｏ）を決定し、前記第１のタイプのＯＦＤＭシンボルを含むスロット内の残りの連続ＯＦＤＭシンボルの数と前記比（Ｒａｔｉｏ）との積を、前記アップリンク送信のための残りの連続ＯＦＤＭシンボルの数として決定する。
【０１５８】
任意選択で、前記プロセッサ８００は具体的に、前記第１のタイプのＯＦＤＭシンボルを含むスロットから前記第１のタイプのＯＦＤＭシンボルの間の少なくとも１つのアイドルＯＦＤＭシンボルを選択し、または、前記第１のタイプのＯＦＤＭシンボルを含むスロットのテールから少なくとも１つのアイドルＯＦＤＭシンボルを選択し、選択されたＯＦＤＭシンボルにおいてランダムアクセスを実行する。
【０１５９】
図９に示すように、本出願の一実施形態に係る基地局は、プロセッサ９００、メモリ９０１、送受信機９０２、およびバスインターフェースを含む。
【０１６０】
プロセッサ９００は、バスアーキテクチャ及び通常の処理を管理し、メモリ９０１は、プロセッサ９００が動作する際に利用するデータを記憶することができる。送受信機９０２は、プロセッサ９００制御の下でデータを送受信する。
【０１６１】
バスアーキテクチャは、いずれ数の相互接続するバス及びブリッジを備える。具体的に、プロセッサ９００が代表となる１つまたは複数のプロセッサ及びメモリ９０１が代表となるメモリの多様な回路により接続される。バスアーキテクチャは、外部設備、電圧レギュレーター及び電力管理回路等の他の回路を接続することもできる。これらは、当該分野の周知技術であるため、本発明において、詳細に説明しない。バスインターフェースはインターフェースを提供する。プロセッサ９００は、バスアーキテクチャ及び通常の処理を管理し、メモリ９０１は、プロセッサ９００が動作する際に利用するデータを記憶することができる。
【０１６２】
本発明に係る実施例により開示された流れは、プロセッサ９０１に適用することができるか、または、プロセッサ９０１により実現される。実現の間、周波数ドメインにおける拡散伝送流れにおける各々ステップは、プロセッサ９０１内のハードウェアの論理集積回路またはソフトウェア形式の指令により完成されることができる。プロセッサ９０１は、汎用プロセッサ、デジタル信号プロセッサ、専用集積回路、フィールドプログラマブル・ゲートアレイまたはたのプログラマブルロジック・デバイス、ディスクリート・ゲートまたはトランジスタロジック・デバイス 、ディスクリート・ハードウェアコンポネントであることができ、本発明に係る実施例により開示した各々方法、ステップ及びロジックブロック図を実現・執行することができる。汎用プロセッサはマイクロプロセッサまたはいずれのノーマルプロセッサなどであることができる。本発明に係る実施例に開示された方法のステップを参照すれば、ハードウェアプロセッサにより直接に執行して完成するか、または、プロセッサ内のハードウェア及びソフトウェアモジュールの組み合わせにより執行されて完成することができる。ソフトウェアモジュールは、ランダムメモリ、フラッシュメモリ、リードオンリーメモリ，プログラマブルリードオンリーメモリまたは電気的消去可能プログラマブルメモリ、レジスタなど本分野のよく知られる記憶媒体に格納されることができる。当該記憶媒体はメモリ９０２に位置し、プロセッサ９０１はメモリ９０２に格納される情報を読み出して、そのハードウェアと協働して信号処理フローのステップを完成する。
【０１６３】
具体的に、前記プロセッサ９００は、メモリ９０１内のプログラムを読み取り、以下を実行するように構成される：
端末のためにＰＲＡＣＨ時間領域リソースを構成し、前記ＰＲＡＣＨ時間領域リソースは少なくとも１つのスロットを含み、前記少なくとも１つのスロットにＳＳ Ｂｌｏｃｋおよび/またはＲＭＳＩを送信するために使用される第１のタイプのＯＦＤＭシンボルが含まれると決定されると、前記少なくとも１つのスロットにおいて、前記第１のタイプのＯＦＤＭシンボルと異なるＯＦＤＭシンボル上でＰＲＡＣＨを受信および検出する。
【０１６４】
任意選択で、前記プロセッサ９００は具体的に、以下の方式のいずれか１つに従ってＰＲＡＣＨを受信および検出する：
方式１：第１のタイプのＯＦＤＭシンボルを含まないスロットにおいて、ＰＲＡＣＨを受信および検出する。
【０１６５】
方式２：第１のタイプのＯＦＤＭシンボルを含むスロット内の前記第１のタイプのＯＦＤＭシンボルを除く連続ＯＦＤＭシンボルにおいて、ＰＲＡＣＨを受信および検出する。
【０１６６】
任意選択で、前記プロセッサ９００はさらに、第１のタイプのＯＦＤＭシンボルを含むスロット内の前記第１のタイプのＯＦＤＭシンボルを除くＯＦＤＭシンボルにおいて、ＰＲＡＣＨを受信および検出する前に、前記第１のタイプのＯＦＤＭシンボルを含むスロット内の前記第１のタイプのＯＦＤＭシンボルを除く、アップリンク送信のための残りの連続ＯＦＤＭシンボルの数がランダムアクセス実際に使用されるＯＦＤＭシンボルの数より少なくないことを決定する。
【０１６７】
任意選択で、前記プロセッサ９００は具体的に、下記の方式に従って、アップリンク送信のための残りの連続ＯＦＤＭシンボルの数を決定する：
前記端末のために構成されたＰＲＡＣＨのサブキャリア間隔（ＳＣＳ）と前記ＳＳ ＢｌｏｃｋのＳＣＳとの比（Ｒａｔｉｏ）を決定し、前記第１のタイプのＯＦＤＭシンボルを含むスロット内の残りの連続ＯＦＤＭシンボルの数と前記比（Ｒａｔｉｏ）との積を、前記アップリンク送信のための残りの連続ＯＦＤＭシンボルの数として決定する。
【０１６８】
任意選択で、前記プロセッサ９００は具体的に、前記第１のタイプのＯＦＤＭシンボルを含むスロットから前記第１のタイプのＯＦＤＭシンボルの間の少なくとも１つのアイドルＯＦＤＭシンボルを選択し、または、前記第１のタイプのＯＦＤＭシンボルを含むスロットのテールから少なくとも１つのアイドルＯＦＤＭシンボルを選択し、選択されたＯＦＤＭシンボルにおいてＰＲＡＣＨを受信および検出する。
【０１６９】
図１０に示すように、本出願の実施形態に係る第１のタイプのランダムアクセスを実行するための装置は、
端末のための基地局によって構成されたＰＲＡＣＨ時間領域リソースを決定するように構成された決定モジュール１００１と、
前記少なくとも１つのスロットにＳＳ Ｂｌｏｃｋおよび/またはＲＭＳＩを送信するために使用される第１のタイプのＯＦＤＭシンボルが含まれることを決定するとき、前記少なくとも１つのスロット内の前記第１のタイプのＯＦＤＭシンボルと異なるＯＦＤＭシンボルにおいてランダムアクセスを実行するように構成される送信モジュール１００２とを備える。
【０１７０】
前記ＰＲＡＣＨ時間領域リソースは少なくとも１つのスロットを含む。
【０１７１】
任意選択で、前記送信モジュール１００２は、具体的には以下の方式のいずれか１つに従ってランダムアクセスを実行する：
方式１：第１のタイプのＯＦＤＭシンボルを含まないスロットにおいてランダムアクセスを実行する。
【０１７２】
方式２：第１のタイプのＯＦＤＭシンボルを含むスロット内の前記第１のタイプのＯＦＤＭシンボルを除く連続ＯＦＤＭシンボルにおいてランダムアクセスを実行する。
【０１７３】
任意選択で、前記送信モジュール１００２は具体的に、下記の方式に従って、ランダムアクセス方式を決定する：
所定のルールに従って、ランダムアクセス方式を決定し、または、
基地局によって前記ＲＭＳＩを通じて送信された指示シグナリングを受信し、前記指示シグナリングに従って、ランダムアクセス方式を決定する。
【０１７４】
任意選択で、前記送信モジュール１００２はさらに、第１のタイプのＯＦＤＭシンボルを含むスロット内の前記第１のタイプのＯＦＤＭシンボルを除く連続ＯＦＤＭシンボルにおいてランダムアクセスを実行する前に、前記第１のタイプのＯＦＤＭシンボルを含むスロット内の前記第１のタイプのＯＦＤＭシンボルを除く、アップリンク送信のための残りの連続ＯＦＤＭシンボルの数がランダムアクセス実際に使用されるＯＦＤＭシンボルの数より少なくないことを決定する。
【０１７５】
任意選択で、前記送信モジュール１００２は具体的に、下記の方式に従って、アップリンク送信のための残りの連続ＯＦＤＭシンボルの数を決定する：
前記基地局によって構成されたＰＲＡＣＨのサブキャリア間隔（ＳＣＳ）と前記ＳＳ ＢｌｏｃｋのＳＣＳとの比（Ｒａｔｉｏ）を決定し、前記第１のタイプのＯＦＤＭシンボルを含むスロット内の残りの連続ＯＦＤＭシンボルの数と前記比（Ｒａｔｉｏ）との積を、前記アップリンク送信のための残りの連続ＯＦＤＭシンボルの数として決定する。
【０１７６】
任意選択で、前記送信モジュール１００２は具体的に、
前記第１のタイプのＯＦＤＭシンボルを含むスロットから前記第１のタイプのＯＦＤＭシンボルの間の少なくとも１つのアイドルＯＦＤＭシンボルを選択し、または、前記第１のタイプのＯＦＤＭシンボルを含むスロットのテールから少なくとも１つのアイドルＯＦＤＭシンボルを選択し、選択されたＯＦＤＭシンボルにおいてランダムアクセスを実行する。
【０１７７】
図１１に示すように、本出願の実施形態に係る第２のタイプのランダムアクセスを実行するための装置は、
端末のためにＰＲＡＣＨ時間領域リソースを構成するように構成された構成モジュール１１０１と、
前記少なくとも１つのスロットにＳＳ Ｂｌｏｃｋおよび/またはＲＭＳＩを送信するために使用される第１のタイプのＯＦＤＭシンボルが含まれると決定されると、前記少なくとも１つのスロットにおいて、前記第１のタイプのＯＦＤＭシンボルと異なるＯＦＤＭシンボル上でＰＲＡＣＨを受信および検出するように構成された受信モジュール１１０２とを備える。
【０１７８】
前記ＰＲＡＣＨ時間領域リソースは少なくとも１つのスロットを含む。
【０１７９】
任意選択で、前記受信モジュール１１０２は具体的に、以下の方式のいずれか１つに従ってＰＲＡＣＨを受信および検出する：
方式１：第１のタイプのＯＦＤＭシンボルを含まないスロットにおいて、ＰＲＡＣＨを受信および検出する。
【０１８０】
方式２：第１のタイプのＯＦＤＭシンボルを含むスロット内の前記第１のタイプのＯＦＤＭシンボルを除く連続ＯＦＤＭシンボルにおいて、ＰＲＡＣＨを受信および検出する。
【０１８１】
任意選択で、前記受信モジュール１１０２はさらに、第１のタイプのＯＦＤＭシンボルを含むスロット内の前記第１のタイプのＯＦＤＭシンボルを除くＯＦＤＭシンボルにおいて、ＰＲＡＣＨを受信および検出する前に、前記第１のタイプのＯＦＤＭシンボルを含むスロット内の前記第１のタイプのＯＦＤＭシンボルを除く、アップリンク送信のための残りの連続ＯＦＤＭシンボルの数がランダムアクセス実際に使用されるＯＦＤＭシンボルの数より少なくないことを決定する。
【０１８２】
任意選択で、前記受信モジュール１１０２は具体的に、下記の方式に従って、アップリンク送信のための残りの連続ＯＦＤＭシンボルの数を決定する：
前記端末のために構成されたＰＲＡＣＨのサブキャリア間隔（ＳＣＳ）と前記ＳＳ ＢｌｏｃｋのＳＣＳとの比（Ｒａｔｉｏ）を決定し、前記第１のタイプのＯＦＤＭシンボルを含むスロット内の残りの連続ＯＦＤＭシンボルの数と前記比（Ｒａｔｉｏ）との積を、前記アップリンク送信のための残りの連続ＯＦＤＭシンボルの数として決定する。
【０１８３】
任意選択で、前記受信モジュール１１０２は具体的に、前記第１のタイプのＯＦＤＭシンボルを含むスロットから前記第１のタイプのＯＦＤＭシンボルの間の少なくとも１つのアイドルＯＦＤＭシンボルを選択し、または、前記第１のタイプのＯＦＤＭシンボルを含むスロットのテールから少なくとも１つのアイドルＯＦＤＭシンボルを選択し、選択されたＯＦＤＭシンボルにおいてＰＲＡＣＨを受信および検出する。
【０１８４】
同じ発明思想に基づいて、本願の実施形態は、ランダムアクセスのための方法をさらに提供する。この方法に対応する装置は、本発明の実施形態に係るランダムアクセスシステムの端末であり、問題を解決する方法の原理は装置と同様であるため、この方法の実施は、装置の実施を参照すればよく、繰り返しはここでは説明されない。
【０１８５】
本出願の実施形態は、コンピュータプログラムを格納するコンピュータ記憶媒体を提供し、当該プログラムがプロセッサによって実行されると、本出願の実施形態に係る端末によって実行されるステップ、または本出願の実施形態に係る基地局によって実行されるステップを実施する。
【０１８６】
図１２に示すように、本出願の実施形態に係る第１のタイプのランダムアクセスための方法は、以下を含む。
【０１８７】
ステップ１２０１：端末は、前記端末のための基地局によって構成されたＰＲＡＣＨ時間領域リソースを決定し、前記ＰＲＡＣＨ時間領域リソースは少なくとも１つのスロットを含む。
【０１８８】
ステップ１２０２：前記少なくとも１つのスロットにＳＳ Ｂｌｏｃｋおよび/またはＲＭＳＩを送信するために使用される第１のタイプのＯＦＤＭシンボルが含まれると決定されると、前記端末は、前記少なくとも１つのスロット内の前記第１のタイプのＯＦＤＭシンボルと異なるＯＦＤＭシンボルを通じてランダムアクセスを実行する。
【０１８９】
任意選択で、前記端末は、以下の方式のいずれか１つに従ってランダムアクセスを実行する：
方式１、前記端末は、第１のタイプのＯＦＤＭシンボルを含まないスロットでランダムアクセスを実行する。
【０１９０】
方式２、前記端末は、第１のタイプのＯＦＤＭシンボルを含むスロット内の前記第１のタイプのＯＦＤＭシンボルを除く連続ＯＦＤＭシンボルにおいてランダムアクセスを実行する。
【０１９１】
任意選択で、前記端末は、以下の方式に従ってランダムアクセス方法を決定する：
前記端末は、所定のルールに従ってランダムアクセス方式を決定し、または、
前記端末は、基地局によって前記ＲＭＳＩを通じて送信された指示シグナリングを受信し、前記指示シグナリングに従って、ランダムアクセス方式を決定する。
【０１９２】
任意選択で、前記端末が、第１のタイプのＯＦＤＭシンボルを含むスロット内の前記第１のタイプのＯＦＤＭシンボルを除く連続ＯＦＤＭシンボルにおいてランダムアクセスを実行する前に、
前記端末は、前記第１のタイプのＯＦＤＭシンボルを含むスロット内の前記第１のタイプのＯＦＤＭシンボルを除く、アップリンク送信のための残りの連続ＯＦＤＭシンボルの数がランダムアクセス実際に使用されるＯＦＤＭシンボルの数より少なくないことを決定する。
【０１９３】
任意選択で、前記端末は、以下の方式でアップリンク送信のための残りの連続ＯＦＤＭシンボルの数を決定する：
前記端末は、前記基地局によって構成されたＰＲＡＣＨのサブキャリア間隔（ＳＣＳ）と前記ＳＳ ＢｌｏｃｋのＳＣＳとの比（Ｒａｔｉｏ）を決定し、
前記端末は、前記第１のタイプのＯＦＤＭシンボルを含むスロット内の残りの連続ＯＦＤＭシンボルの数と前記比（Ｒａｔｉｏ）との積を、前記アップリンク送信のための残りの連続ＯＦＤＭシンボルの数として決定する。
【０１９４】
任意選択で、前記端末が、第１のタイプのＯＦＤＭシンボルを含むスロット内の前記第１のタイプのＯＦＤＭシンボルを除く連続ＯＦＤＭシンボルにおいてランダムアクセスを実行することは、
前記端末が、前記第１のタイプのＯＦＤＭシンボルを含むスロットから前記第１のタイプのＯＦＤＭシンボルの間の少なくとも１つのアイドルＯＦＤＭシンボルを選択し、または、前記第１のタイプのＯＦＤＭシンボルを含むスロットのテールから少なくとも１つのアイドルＯＦＤＭシンボルを選択し、
前記端末が、選択されたＯＦＤＭシンボルにおいてランダムアクセスを実行する。
【０１９５】
同じ発明思想に基づいて、本願の実施形態は、ランダムアクセスのための方法をさらに提供する。この方法に対応する装置は、本発明の実施形態に係るランダムアクセスシステムの基地局であり、問題を解決する方法の原理は装置と同様であるため、この方法の実施は、装置の実施を参照すればよく、繰り返しはここでは説明されない。
【０１９６】
図１３に示すように、本出願の実施形態に係る第２のタイプのランダムアクセスための方法は、以下を含む。
【０１９７】
ステップ１３０１：基地局は、端末のためにＰＲＡＣＨ時間領域リソースを提供し、前記ＰＲＡＣＨ時間領域リソースは少なくとも１つのスロットを含む。
【０１９８】
ステップ１３０２：前記少なくとも１つのスロットにＳＳ Ｂｌｏｃｋおよび/またはＲＭＳＩを送信するために使用される第１のタイプのＯＦＤＭシンボルが含まれると決定されると、前記基地局は、前記少なくとも１つのスロットにおいて、前記第１のタイプのＯＦＤＭシンボルと異なるＯＦＤＭシンボル上でＰＲＡＣＨを受信および検出する。
【０１９９】
任意選択で、前記基地局は、以下の方式のいずれか１つに従ってＰＲＡＣＨを受信および検出する：
方式１：前記基地局は、第１のタイプのＯＦＤＭシンボルを含まないスロットにおいて、ＰＲＡＣＨを受信および検出する。
【０２００】
方式２：前記基地局は、第１のタイプのＯＦＤＭシンボルを含むスロット内の前記第１のタイプのＯＦＤＭシンボルを除く連続ＯＦＤＭシンボルにおいて、ＰＲＡＣＨを受信および検出する。
【０２０１】
任意選択で、前記基地局は、第１のタイプのＯＦＤＭシンボルを含むスロット内の前記第１のタイプのＯＦＤＭシンボルを除くＯＦＤＭシンボルにおいて、ＰＲＡＣＨを受信および検出する前に、前記基地局は、前記第１のタイプのＯＦＤＭシンボルを含むスロット内の前記第１のタイプのＯＦＤＭシンボルを除く、アップリンク送信のための残りの連続ＯＦＤＭシンボルの数がランダムアクセス実際に使用されるＯＦＤＭシンボルの数より少なくないことを決定する。
【０２０２】
任意選択で、前記基地局は、下記の方式に従って、アップリンク送信のための残りの連続ＯＦＤＭシンボルの数を決定する：
前記基地局は、前記端末のために構成されたＰＲＡＣＨのサブキャリア間隔（ＳＣＳ）と前記ＳＳ ＢｌｏｃｋのＳＣＳとの比（Ｒａｔｉｏ）を決定し、
前記基地局は、前記第１のタイプのＯＦＤＭシンボルを含むスロット内の残りの連続ＯＦＤＭシンボルの数と前記比（Ｒａｔｉｏ）との積を、前記アップリンク送信のための残りの連続ＯＦＤＭシンボルの数として決定する。
【０２０３】
任意選択で、前記基地局が、第１のタイプのＯＦＤＭシンボルを含むスロット内の前記第１のタイプのＯＦＤＭシンボルを除くＯＦＤＭシンボルにおいて、ＰＲＡＣＨを受信および検出することは、
前記基地局は、前記第１のタイプのＯＦＤＭシンボルを含むスロットから前記第１のタイプのＯＦＤＭシンボルの間の少なくとも１つのアイドルＯＦＤＭシンボルを選択し、または、前記第１のタイプのＯＦＤＭシンボルを含むスロットのテールから少なくとも１つのアイドルＯＦＤＭシンボルを選択し、
前記基地局は、選択されたＯＦＤＭシンボルにおいてＰＲＡＣＨを受信および検出する。
【０２０４】
本発明は、本発明の実施形態による方法、装置（システム）およびコンピュータプログラム製品のフローチャートおよび／またはブロック図で説明された。フローチャートおよび／またはブロック図のそれぞれのフローおよび／またはブロック、ならびにフローチャートおよび／またはブロック図のフローおよび／またはブロックの結合は、コンピュータプログラム命令で実施できることを理解されたい。これらのコンピュータプログラム命令は、汎用コンピュータ、特定用途コンピュータ、組み込みプロセッサ、または別のプログラム可能なデータ処理装置のプロセッサにロードして、コンピュータまたは他のプロセッサで実行される命令が実行されるようにマシンを生成できる。プログラム可能なデータ処理装置は、フローチャートのフローおよび/またはブロック図のブロックで指定された機能を実行するための手段を作成する。
【０２０５】
したがって、本発明の実施形態は、ハードウェアおよび／またはソフトウェア（したがって、アプリケーションは、ハードウェアおよび／またはソフトウェア（ファームウェア、常駐ソフトウェア、マイクロコードなどを含む）で実装することもできる）によって実装することができる。本発明の実施形態は、コンピュータ使用可能またはコンピュータ可読記憶媒体上のコンピュータプログラム製品によって実装することができ、コンピュータプログラム製品は、命令による使用のために媒体に実装されたコンピュータ使用可能またはコンピュータ可読プログラムコードを有する。本発明の文脈において、コンピュータ使用可能またはコンピュータ可読媒体は、またはによって使用されるプログラムを含む、格納する、通信する、送信する、または転送することができる任意の媒体であり得る。こうして、命令でシステム、装置、または設備の使用を実行するか、命令も加えてでシステム、装置、または設備の使用を実行する。
【０２０６】
無論、当業者によって、上述した実施形態に記述された技術的な解決手段を改造し、または、その中の一部の技術要素を置換することもできる。そのような、改造と置換は本発明の各実施形態の技術の範囲から逸脱するとは見なされない。そのような改造と置換は、すべて本発明の請求の範囲に属する。
【符号の説明】
【０２０７】
10  端末
20  基地局
800  プロセッサ
801  メモリ
802  送受信機
900  プロセッサ
901  メモリ
902  送受信機
1001  決定モジュール
1002  送信モジュール
1101  構成モジュール
1102  受信モジュール
【図１】
2021503849.tif 000003
【図２】
2021503849.tif 000004
【図３Ａ】
2021503849.tif 000005
【図３Ｂ】
2021503849.tif 000006
【図４】
2021503849.tif 000007
【図５】
2021503849.tif 000008
【図６】
2021503849.tif 000009
【図７】
2021503849.tif 000010
【図８】
2021503849.tif 000011
【図９】
2021503849.tif 000012
【図１０】
2021503849.tif 000013
【図１１】
2021503849.tif 000014
【図１２】
2021503849.tif 000015
【図１３】
2021503849.tif 000016
【手続補正書】
【提出日】令和2年5月19日(2020.5.19)
【手続補正１】
【補正対象書類名】特許請求の範囲
【補正対象項目名】全文
【補正方法】変更
【補正の内容】
【特許請求の範囲】
【請求項１】
端末は、前記端末のための基地局によって構成された物理ランダムアクセスチャネル（ＰＲＡＣＨ）時間領域リソースを決定するステップと、
前記少なくとも１つのスロットに、同期信号ブロックＳＳ Ｂｌｏｃｋおよび/または残りの最小システム情報ＲＭＳＩの送信に使用される第１のタイプの直交周波数分割多重ＯＦＤＭシンボルが含まれることを決定するとき、前記端末は、前記少なくとも１つのスロット内の前記第１のタイプのＯＦＤＭシンボルと異なるＯＦＤＭシンボルを通じてランダムアクセスを実行するステップとを備え、
前記ＰＲＡＣＨ時間領域リソースは少なくとも１つのスロットを含むことを特徴とするランダムアクセスための方法。
【請求項２】
前記端末は、以下の方式のいずれか１つに従ってランダムアクセスを実行する：
方式１、前記端末は、第１のタイプのＯＦＤＭシンボルを含まないスロットでランダムアクセスを実行し、
方式２、前記端末は、第１のタイプのＯＦＤＭシンボルを含むスロット内の前記第１のタイプのＯＦＤＭシンボルを除く連続ＯＦＤＭシンボルにおいてランダムアクセスを実行することを特徴とする請求項１に記載のランダムアクセスための方法。
【請求項３】
前記端末は、以下の方式に従ってランダムアクセス方法を決定する：
前記端末は、所定のルールに従ってランダムアクセス方式を決定し、または、
前記端末は、基地局によって前記ＲＭＳＩを通じて送信された指示シグナリングを受信し、前記指示シグナリングに従って、ランダムアクセス方式を決定することを特徴とする請求項２に記載のランダムアクセスための方法。
【請求項４】
前記端末が、第１のタイプのＯＦＤＭシンボルを含むスロット内の前記第１のタイプのＯＦＤＭシンボルを除く連続ＯＦＤＭシンボルにおいてランダムアクセスを実行する前に、
前記端末は、前記第１のタイプのＯＦＤＭシンボルを含むスロット内の前記第１のタイプのＯＦＤＭシンボルを除く、アップリンク送信のための残りの連続ＯＦＤＭシンボルの数がランダムアクセス実際に使用されるＯＦＤＭシンボルの数より少なくないことを決定し、
前記端末は、以下の方式でアップリンク送信のための残りの連続ＯＦＤＭシンボルの数を決定する：
前記端末は、前記基地局によって構成されたＰＲＡＣＨのサブキャリア間隔（ＳＣＳ）と前記ＳＳ ＢｌｏｃｋのＳＣＳとの比（Ｒａｔｉｏ）を決定し、
前記端末は、前記第１のタイプのＯＦＤＭシンボルを含むスロット内の残りの連続ＯＦＤＭシンボルの数と前記比（Ｒａｔｉｏ）との積を、前記アップリンク送信のための残りの連続ＯＦＤＭシンボルの数として決定することを特徴とする請求項２に記載のランダムアクセスための方法。
【請求項５】
前記端末が、第１のタイプのＯＦＤＭシンボルを含むスロット内の前記第１のタイプのＯＦＤＭシンボルを除く連続ＯＦＤＭシンボルにおいてランダムアクセスを実行することは、
前記端末が、前記第１のタイプのＯＦＤＭシンボルを含むスロットから前記第１のタイプのＯＦＤＭシンボルの間の少なくとも１つのアイドルＯＦＤＭシンボルを選択し、または、前記第１のタイプのＯＦＤＭシンボルを含むスロットのテールから少なくとも１つのアイドルＯＦＤＭシンボルを選択することと、
前記端末が、選択されたＯＦＤＭシンボルにおいてランダムアクセスを実行することとを含むことを特徴とする請求項２から請求項４のいずれか一項に記載のランダムアクセスための方法。
【請求項６】
基地局は、端末のために物理ランダムアクセスチャネル（ＰＲＡＣＨ）時間領域リソースを構成するステップと、
前記少なくとも１つのスロットに、同期信号ブロックＳＳ Ｂｌｏｃｋおよび/または残りの最小システム情報ＲＭＳＩの送信に使用される第１のタイプの直交周波数分割多重ＯＦＤＭシンボルが含まれることを決定するとき、前記基地局は、前記少なくとも１つのスロットにおいて、前記第１のタイプのＯＦＤＭシンボルと異なるＯＦＤＭシンボル上でＰＲＡＣＨを受信および検出するステップとを備え、
前記ＰＲＡＣＨ時間領域リソースは少なくとも１つのスロットを含むことを特徴とするランダムアクセスための方法。
【請求項７】
前記基地局は、以下の方式のいずれか１つに従ってＰＲＡＣＨを受信および検出する：
方式１：前記基地局は、第１のタイプのＯＦＤＭシンボルを含まないスロットにおいて、ＰＲＡＣＨを受信および検出し、
方式２：前記基地局は、第１のタイプのＯＦＤＭシンボルを含むスロット内の前記第１のタイプのＯＦＤＭシンボルを除く連続ＯＦＤＭシンボルにおいて、ＰＲＡＣＨを受信および検出し、
前記基地局が、第１のタイプのＯＦＤＭシンボルを含むスロット内の前記第１のタイプのＯＦＤＭシンボルを除くＯＦＤＭシンボルにおいて、ＰＲＡＣＨを受信および検出する前に、
前記基地局は、前記第１のタイプのＯＦＤＭシンボルを含むスロット内の前記第１のタイプのＯＦＤＭシンボルを除く、アップリンク送信のための残りの連続ＯＦＤＭシンボルの数がランダムアクセス実際に使用されるＯＦＤＭシンボルの数より少なくないことを決定し、
前記基地局は、下記の方式に従って、アップリンク送信のための残りの連続ＯＦＤＭシンボルの数を決定する：
前記基地局は、前記端末のために構成されたＰＲＡＣＨのサブキャリア間隔（ＳＣＳ）と前記ＳＳ ＢｌｏｃｋのＳＣＳとの比（Ｒａｔｉｏ）を決定し、
前記基地局は、前記第１のタイプのＯＦＤＭシンボルを含むスロット内の残りの連続ＯＦＤＭシンボルの数と前記比（Ｒａｔｉｏ）との積を、前記アップリンク送信のための残りの連続ＯＦＤＭシンボルの数として決定することを特徴とする請求項６に記載のランダムアクセスための方法。
【請求項８】
前記基地局が、第１のタイプのＯＦＤＭシンボルを含むスロット内の前記第１のタイプのＯＦＤＭシンボルを除くＯＦＤＭシンボルにおいて、ＰＲＡＣＨを受信および検出することは、
前記基地局は、前記第１のタイプのＯＦＤＭシンボルを含むスロットから前記第１のタイプのＯＦＤＭシンボルの間の少なくとも１つのアイドルＯＦＤＭシンボルを選択し、または、前記第１のタイプのＯＦＤＭシンボルを含むスロットのテールから少なくとも１つのアイドルＯＦＤＭシンボルを選択することと、
前記基地局は、選択されたＯＦＤＭシンボルにおいてＰＲＡＣＨを受信および検出することとを含むことを特徴とする請求項６または請求項７に記載のランダムアクセスための方法。
【請求項９】
端末のための基地局によって構成された物理ランダムアクセスチャネル（ＰＲＡＣＨ）時間領域リソースを決定するように構成された決定モジュールと、
前記少なくとも１つのスロットに同期信号ブロックＳＳ Ｂｌｏｃｋおよび/または残りの最小システム情報ＲＭＳＩの送信に使用される第１のタイプの直交周波数分割多重ＯＦＤＭシンボルが含まれることを決定するとき、前記少なくとも１つのスロット内の前記第１のタイプのＯＦＤＭシンボルと異なるＯＦＤＭシンボルにおいてランダムアクセスを実行するように構成された送信モジュールとを備え、
前記ＰＲＡＣＨ時間領域リソースは少なくとも１つのスロットを含むことを特徴とするランダムアクセスのための装置。
【請求項１０】
前記送信モジュールは、以下の方式のいずれか１つに従ってＰＲＡＣＨを受信および検出する：
方式１：前記送信モジュールは、第１のタイプのＯＦＤＭシンボルを含まないスロットにおいて、ＰＲＡＣＨを受信および検出し、
方式２：前記送信モジュールは、第１のタイプのＯＦＤＭシンボルを含むスロット内の前記第１のタイプのＯＦＤＭシンボルを除く連続ＯＦＤＭシンボルにおいて、ＰＲＡＣＨを受信および検出することを特徴とする請求項９に記載のランダムアクセスのための装置。
【請求項１１】
前記送信モジュールは、以下の方式に従ってランダムアクセス方法を決定する：
前記送信モジュールは、所定のルールに従ってランダムアクセス方式を決定し、または、
前記送信モジュールは、基地局によって前記ＲＭＳＩを通じて送信された指示シグナリングを受信し、前記指示シグナリングに従って、ランダムアクセス方式を決定することを特徴とする請求項１０に記載のランダムアクセスのための装置。
【請求項１２】
前記送信モジュールが、第１のタイプのＯＦＤＭシンボルを含むスロット内の前記第１のタイプのＯＦＤＭシンボルを除くＯＦＤＭシンボルにおいて、ＰＲＡＣＨを受信および検出する前に、
前記送信モジュールは、前記第１のタイプのＯＦＤＭシンボルを含むスロット内の前記第１のタイプのＯＦＤＭシンボルを除く、アップリンク送信のための残りの連続ＯＦＤＭシンボルの数がランダムアクセス実際に使用されるＯＦＤＭシンボルの数より少なくないことを決定し、
前記送信モジュールは、下記の方式に従って、アップリンク送信のための残りの連続ＯＦＤＭシンボルの数を決定する：
前記送信モジュールは、前記端末のために構成されたＰＲＡＣＨのサブキャリア間隔（ＳＣＳ）と前記ＳＳ ＢｌｏｃｋのＳＣＳとの比（Ｒａｔｉｏ）を決定し、
前記送信モジュールは、前記第１のタイプのＯＦＤＭシンボルを含むスロット内の残りの連続ＯＦＤＭシンボルの数と前記比（Ｒａｔｉｏ）との積を、前記アップリンク送信のための残りの連続ＯＦＤＭシンボルの数として決定することを特徴とする請求項１１に記載のランダムアクセスのための装置。
【請求項１３】
前記送信モジュールは、前記第１のタイプのＯＦＤＭシンボルを含むスロットから前記第１のタイプのＯＦＤＭシンボルの間の少なくとも１つのアイドルＯＦＤＭシンボルを選択し、または、前記第１のタイプのＯＦＤＭシンボルを含むスロットのテールから少なくとも１つのアイドルＯＦＤＭシンボルを選択し、
選択されたＯＦＤＭシンボルにおいてランダムアクセスを実行することを特徴とする請求項１２に記載のランダムアクセスのための装置。
【請求項１４】
構成モジュール，端末のための物理ランダムアクセスチャネル（ＰＲＡＣＨ）時間領域リソースを構成するように構成された構成モジュールと、
前記少なくとも１つのスロットに、同期信号ブロックＳＳ Ｂｌｏｃｋおよび/または残りの最小システム情報ＲＭＳＩの送信に使用される第１のタイプの直交周波数分割多重ＯＦＤＭシンボルが含まれることを決定するとき、前記少なくとも１つのスロットにおいて、前記第１のタイプのＯＦＤＭシンボルと異なるＯＦＤＭシンボル上でＰＲＡＣＨを受信および検出するように構成された受信モジュールとを備え、
前記ＰＲＡＣＨ時間領域リソースは少なくとも１つのスロットを含むことを特徴とするランダムアクセスのための装置。
【請求項１５】
前記受信モジュールは、
以下の方式のいずれか１つに従ってＰＲＡＣＨを受信および検出する：
方式１：第１のタイプのＯＦＤＭシンボルを含まないスロットにおいて、ＰＲＡＣＨを受信および検出し、
方式２：第１のタイプのＯＦＤＭシンボルを含むスロット内の前記第１のタイプのＯＦＤＭシンボルを除く連続ＯＦＤＭシンボルにおいて、ＰＲＡＣＨを受信および検出し、
前記受信モジュールは、
第１のタイプのＯＦＤＭシンボルを含むスロット内の前記第１のタイプのＯＦＤＭシンボルを除くＯＦＤＭシンボルにおいて、ＰＲＡＣＨを受信および検出する前に、前記第１のタイプのＯＦＤＭシンボルを含むスロット内の前記第１のタイプのＯＦＤＭシンボルを除く、アップリンク送信のための残りの連続ＯＦＤＭシンボルの数がランダムアクセス実際に使用されるＯＦＤＭシンボルの数より少なくないことを決定し、
前記受信モジュールは、
下記の方式に従って、アップリンク送信のための残りの連続ＯＦＤＭシンボルの数を決定する：
前記端末のために構成されたＰＲＡＣＨのサブキャリア間隔（ＳＣＳ）と前記ＳＳ ＢｌｏｃｋのＳＣＳとの比（Ｒａｔｉｏ）を決定し、前記第１のタイプのＯＦＤＭシンボルを含むスロット内の残りの連続ＯＦＤＭシンボルの数と前記比（Ｒａｔｉｏ）との積を、前記アップリンク送信のための残りの連続ＯＦＤＭシンボルの数として決定し、
前記受信モジュールは、
前記第１のタイプのＯＦＤＭシンボルを含むスロットから前記第１のタイプのＯＦＤＭシンボルの間の少なくとも１つのアイドルＯＦＤＭシンボルを選択し、または、前記第１のタイプのＯＦＤＭシンボルを含むスロットのテールから少なくとも１つのアイドルＯＦＤＭシンボルを選択し、選択されたＯＦＤＭシンボルにおいてＰＲＡＣＨを受信および検出することを特徴とする請求項１４に記載のランダムアクセスのための装置。
【国際調査報告】
2021503849.tif 000017
2021503849.tif 000018
2021503849.tif 000019
2021503849.tif 000020